(57)【要約】      （修正有）【課題】ワイアレス通信における資源分配を可能にする方法を提供する。【解決手段】端末６０２は、ワイアレス通信環境におけるチャネル品質および他の情報を測定し、ベクトル化チャネル品質イニジケータ（VCQI）レポートを作成する。レポートは、サービング基地局および/または非サービング基地局に送信される。レポート情報は、資源割り当てを行ない、および/またはワイアレス通信環境内でのハンドオフを円滑に行なうために、基地局６０４によって利用される。【選択図】図６
2014197858.tif 000002
【特許請求の範囲】
【請求項１】
ワイアレス通信システムにおける資源分配を可能にする方法であって、
前記ワイアレス通信システムの内の少なくとも１つの端末からベクトル化チャネル品質インジケータ(VCQI)レポートを受信すること、および
前記VCQIレポートに基づいて、どの資源を割り当てるべきかを決定すること
を含む方法。
【請求項２】
前記VCQIレポートは、サービング基地局によって受信される、請求項１に記載の方法。
【請求項３】
前記VCQIレポートは、非サービング基地局によって受信される、請求項１に記載の方法。
【請求項４】
前記VCQIレポートは、SISOレポート、MIMOレポートまたはSIMOレポートである、請求項１に記載の方法。
【請求項５】
前記VCQIレポートは、チャネル品質プロフィールを示す、請求項１に記載の方法。
【請求項６】
前記受信されたVCQIレポートに基づいて基地局の電力プロフィールを決定することをさらに含む、請求項１に記載の方法。
【請求項７】
前記決定された電力プロフィールに基づいて前記基地局の送信電力を調節することをさらに含む、請求項６に記載の方法。
【請求項８】
ワイアレス通信装置であって、
少なくとも１つの端末からプロフィール情報を受信し、および前記プロフィール情報に基づいて、割り当てるべき資源を決定するための命令を実行するプロセッサ、および
前記プロセッサによって生成される情報を記憶するメモリ
を含む装置。
【請求項９】
前記装置は、サービング基地局である、請求項８に記載のワイアレス通信装置。
【請求項１０】
前記装置は、非サービング基地局である、請求項８に記載のワイアレス通信装置。
【請求項１１】
前記プロフィール情報は、VCQIレポートの中に含まれている、請求項８に記載のワイアレス通信装置。
【請求項１２】
前記VCQIレポートは、SISOレポート、MIMOレポートまたはSIMOレポートである、請求項１１に記載のワイアレス通信装置。
【請求項１３】
前記プロセッサは、前記受信されたプロフィール情報に基づいて前記装置の電力プロフィールを決定するための命令をさらに実行する、請求項８に記載のワイアレス通信装置。
【請求項１４】
前記プロセッサは、前記決定された電力プロフィールに基づいて送信電力を調節するための命令をさらに実行する、請求項１３に記載のワイアレス通信装置。
【請求項１５】
資源計画を円滑にするワイアレス通信装置であって、
前記ワイアレス通信システムの内の少なくとも１つの端末からVCQIレポートを受信するための手段、および
前記VCQIプロフィールに基づいて、どの資源を割り当てるべきかを決定するための手段
を含む装置。
【請求項１６】
前記装置は、サービング基地局である、請求項１５に記載のワイアレス通信装置。
【請求項１７】
前記装置は、非サービング基地局である、請求項１５に記載のワイアレス通信装置。
【請求項１８】
前記VCQIレポートは、SISOレポート、MIMOレポートまたはSIMOレポートである、請求項１５に記載のワイアレス通信装置。
【請求項１９】
前記VCQIレポートは、チャネル品質プロフィールを示す、請求項１５に記載のワイアレス通信装置。
【請求項２０】
前記受信されたVCQIレポートに基づいて基地局の電力プロフィールを決定するための手段をさらに含む、請求項１５に記載のワイアレス通信装置。
【請求項２１】
前記決定された電力プロフィールに基づいて前記基地局の送信電力を調節する、請求項２０に記載のワイアレス通信装置。
【請求項２２】
次のことのための機械実行可能な命令を内蔵する機械可読媒体：
少なくとも１つの端末からプロフィール情報を受信すること、ここにおいて、前記プロフィール情報は、VCQIレポートに含まれる、および
前記受信されたプロフィール情報に基づいて資源を割り当てること。
【請求項２３】
前記VCQIレポートは、SISOレポート、MIMOレポートまたはSIMOレポートである、請求項２２に記載の機械可読媒体。
【請求項２４】
前記機械実行可能な命令は、さらに
前記受信されたプロフィール情報に基づいて電力プロフィールを決定すること、および
前記決定された電力プロフィールに基づいて送信電力を調節すること
のためである、請求項２２に記載の機械可読媒体。
【請求項２５】
ワイアレス通信システムにおいて動作可能な装置であって、
少なくとも１つの端末からVCQIレポートを受信し、
前記VCQIレポートに基づいて少なくとも１つの資源を割り当て、
前記VCQIレポートに基づいて電力プロフィールを決定し、および
前記決定された電力プロフィールに基づいて送信電力を調節する、
ように構成されたプロセッサを含む装置。
【請求項２６】
ワイアレス通信環境中の電力プロフィール情報を送信するための方法であって、
チャネル品質を測定すること、
前記測定されたチャネル品質情報を含むVCQIレポートを作成すること、および
前記VCQIレポートを少なくとも１つの基地局に送信すること
を含む方法。
【請求項２７】
前記少なくとも１つの基地局は、サービング基地局である、請求項２６に記載の方法。
【請求項２８】
前記少なくとも１つの基地局は、非サービング基地局である、請求項２６に記載の方法。
【請求項２９】
前記VCQIレポートは、各々の信号が少なくとも１つのタイルの少なくとも１つの部分に対応する複数の信号を含む、請求項２６に記載の方法であって、
前記タイル中の少なくとも１つのヌル・パイロットの位置を決定すること、および
前記少なくとも１つのヌル・パイロットに基づいて干渉情報を決定すること
をさらに含む方法。
【請求項３０】
請求項２９に記載の方法であって、
前記信号が受信されるインターレースを決定すること、および
前記インターレースに基づいて、前記位置を確認すべきかどうかを決定すること
をさらに含む方法。
【請求項３１】
チャネル品質を測定し、前記チャネル品質情報を含むレポートを作成し、および前記レポートを少なくとも１つの基地局に伝えるための命令を実行するプロセッサ、および
前記プロセッサによって生成される情報を記憶するメモリ
を含むワイアレス通信装置。
【請求項３２】
前記少なくとも１つの基地局は、サービング基地局である、請求項３１に記載のワイアレス通信装置。
【請求項３３】
前記少なくとも１つの基地局は、非サービング基地局である、請求項３１に記載のワイアレス通信装置。
【請求項３４】
前記プロセッサは、各々の信号が少なくとも１つのタイルの少なくとも１つの部分に対応する複数の信号を受信し、前記タイル中の少なくとも１つのヌル・パイロットの位置を確認し、および前記少なくとも１つのヌル・パイロットに基づいて干渉情報を評価するための命令をさらに実行する、請求項３１に記載のワイアレス通信装置。
【請求項３５】
前記プロセッサは、前記信号が受信されるインターレースを評価し、および前記インターレースに基づいて前記位置を確認すべきかどうかを決定するための命令をさらに実行する、請求項３４に記載のワイアレス通信装置。
【請求項３６】
チャネル品質を評価するための手段、
前記評価されたチャネル品質情報を含むVCQIレポートを作成するための手段、および
VCQIレポートを少なくとも１つの基地局に伝えるための手段
を含むワイアレス通信装置。
【請求項３７】
前記少なくとも１つの基地局は、サービング基地局である、請求項３６記載のワイアレス通信装置。
【請求項３８】
前記少なくとも１つの基地局は、非サービング基地局である、請求項３６記載のワイアレス通信装置。
【請求項３９】
前記VCQIレポートは、各々の信号が少なくとも１つのタイルの少なくとも部分に対応する複数の信号を含む、請求項３６に記載のワイアレス通信装置であって、
前記タイル中の少なくとも１つのヌル・パイロットの位置を評価する手段、および
前記少なくとも１つのヌル・パイロットに基づいて干渉情報を確認するための手段
を含む装置。
【請求項４０】
前記信号が受信されるインターレースを決定する手段、および
前記インターレースに基づいて前期位置を確認すべきかどうか決めるための手段
を含む、請求項３９に記載のワイアレス通信装置。
【請求項４１】
次のことを実行する機械実行可能な命令を内蔵する機械可読媒体:
チャネル品質を評価すること、
前記評価されたチャネル品質情報を含むVCQIレポートを作成すること、および
前記VCQIレポートを少なくとも１つの基地局に伝えること、ここにおいて、前記少なくとも１つの基地局は、サービング基地局または非サービング基地局である。
【請求項４２】
ワイアレス通信システムにおける動作可能な装置であって、
各々の信号が少なくとも１つのタイルの少なくとも１つの部分に対応する複数の信号を受信し、
前記タイル中の少なくとも１つのヌル・パイロットの位置を評価し、および
前記少なくとも１つのパイロットに基づいて干渉情報を決定する
ように構成されたプロセッサを含む装置。
【請求項４３】
前記プロセッサは、
前記信号が受信されるインターレースを決定し、および
前記インターレースに基づいて前記位置を評価すべきかどうか決める
ようにさらに構成された、請求項４２に記載の装置。
【発明の詳細な説明】
【技術分野】
【０００１】
本件出願は、２００６年１０月２４日付けの「SYSTEM AND METHOD FOR RESOURCE PARTITIONING WIRELESS COMMUNICATION SYSTEMS」という名称の米国仮出願６０／８６２,６４２号、および２００６年１０月２６日付けの「SYSTEM AND METHOD FOR RESOURCE PARTITIONING WIRELESS COMMUNICATION SYSTEMS」という名称の米国仮出願６０／８６３,１２１号の利益を主張する。これらの出願の全体は、参照によって本件明細書に組込まれる。
【背景技術】
【０００２】
以下の説明は、一般にワイアレス通信に関係し、特にワイアレス通信のための資源分配を可能にすることに関係する。
【０００３】
ワイアレス通信システムは、通信手段として広く普及し、世界中の大多数の人々がこれを手段として通信をするようになってきた。ワイアレス通信デバイスは、消費者のニーズに応えるとともに可搬性と便宜性を改善するために、ますます小さく、かつますます強力になってきた。セルラ電話のようなモバイルデバイスの処理能力が増大した結果、ワイアレスネットワーク送信システムに対する要求が増大した。一般に、そのようなシステムは、その上で通信するセルラ電話ほど容易に更新されるものではない。バイルデバイス能力が発展するのにともなって、新規で改善されたワイアレスデバイス能力を十分活用することを促進するようなやり方で旧来のワイアレスネットワークシステムを維持することは難しい場合がある。
【０００４】
ワイアレス通信システムは、チャネルという形での送信資源を生成するために、異なるアプローチを一般に利用する。これらのシステムは、符号分割多重(CDM)システム、周波数分割多重(FDM)システムおよび時分割多重(TDM)システムであってもよい。FDMの１つの変形であって一般によく利用されるのが、直交周波数分割多重（OFDM）である。これは、全体のシステム帯域幅を複数の直交サブキャリアに分割する。このサブキャリアは、トーン、ビンおよび周波数チャネルと呼ばれることもある。各サブキャリアは、データで変調されてもよい。時分割を基本とする技術を用いて、各サブキャリアは、連続するタイムスライスまたはタイムスロットの一部を含むことができる。各ユーザは、所定のバースト期間またはフレームにおいて情報を送信し、受信するために、１つまたは複数のタイムスロットおよびサブキャリアの組み合わせが与えられる。ホッピングスキームは、一般に、シンボルレート・ホッピングスキームまたはブロック・ホッピングスキームであってよい。
【０００５】
符号分割を基本とする技術は、典型的に、あるレンジにおいていつでも利用可能な多数の周波数の上でデータを送信する。一般に、データは、デジタル化され、利用可能な帯域幅の上に拡散される。ここでは、複数のユーザがチャネル上に重ねられ、それぞれのユーザは、固有のシーケンスコードが割り当てられることができる。ユーザは、同じ広帯域スペクトルのかたまりにおいて送信を行なうことができる。この方式において、各ユーザの信号は、それぞれの固有の拡散コードによって帯域幅全体に拡散される。この技術は、１つまたは複数のユーザが同時に送信および受信を行なうことができるという意味での共有を可能とする。そのような共有は、スペクトラム拡散デジタル変調によって達成されることができる。この変調方式において、ユーザのビットストリームは、符号化され、偽似ランダム的方法で非常に広いチャネルにわたって拡散される。受信機は、関連する固有のシーケンスコードを認識し、特定のユーザに関するビットを首尾一貫して集めるために、ランダム化（randomization）を元に戻す（undo）ように設計されている。
【０００６】
典型的なワイアレス通信ネットワーク(例えば、周波数、時間、および/または符号分割の技術を利用するワイアレス通信ネットワーク)は、カバレッジエリアを提供する１つまたは複数の基地局と、当該カバレッジ内でデータを送信および受信する１つまたは複数のモバイル（ワイアレス）端末とを含んでいる。典型的な基地局は、ブロードキャスト、マルチキャスト、および/またはユニキャスト・サービスのために複数のデータストリームを同時に送信することができる。ここにおいて、データストリームは、モバイル端末の受信の関心と独立であり得るデータのストリームである。基地局のカバレッジエリア内のモバイル端末は、基地局から発信された１つ、複数またはすべてのデータストリームを受信することに関心をもっているかもしれない。同様に、モバイル端末は、データを基地局または他のモバイル端末に送信をすることができる。
【０００７】
典型的に、端末は、当該端末のパイロット強度を基地局に報告することができる。しかしながら、この１つの測定(パイロット強度)は、動的資源割り当ておよび/または周波数レビューを考慮に入れていないかもしれない。
【発明の概要】
【０００８】
以下の説明は、本件明細書において開示される実施形態のいくつかの態様について基本的理解を提供することを目的として単純化された要約を提供するものである。この要約は、すべてを含む網羅的概観ではなく、また鍵となる要素または重大な要素を特定するものでもなく、またはそのような実施形態の範囲を限定するように意図されたものでもない。その目的は、後で提示されるより詳細な説明に先立つ事前の説明として、説明される実施形態のいくつかの概念を単純化された形式で提示することにある。
【０００９】
１つまたは複数の実施形態とそれらに対応する開示とにしたがって、ワイアレス通信環境における資源分配を可能にすることに関連して、さまざまな態様が説明される。 
ある態様にしたがって、ワイアレス通信システムにおける資源分配を可能にする方法が示される。本方法は、ワイアレス通信システム内の少なくとも１つの端末から、ベクトル化チャネル品質インジケータ(VCQI)レポートを受信することを含んでいる。本方法は、VCQIレポートに基づいて、どの資源を割り当てるかを決定することをさらに含んでいる。
【００１０】
他の態様は、ワイアレス通信装置に関係する。本装置は、プロセッサとメモリとを含んでいる。メモリは、プロセッサによって生成された情報を記憶する。プロセッサは、少なくとも１つの端末からプロフィール情報を受信し、およびプロフィール情報に基づいて、割り当てるべき資源を決定する命令を実行する。
【００１１】
資源計画を円滑にするワイアレス通信装置は、他の態様である。本装置は、ワイアレス通信システム内の少なくとも１つの端末からVCQIレポートを受信する手段を含んでいる。本装置は、VCQIプロフィールに基づいて、どの資源を割り当てるかを決定する手段をさらに含んでいる。
【００１２】
他の態様は、少なくとも１つの端末からプロフィール情報を受信する機械実行可能な命令を内蔵する機械可読媒体に関係し、ここにおいて、プロフィール情報は、VCQIレポートに含まれている。この機械実行可能な命令は、受信したプロフィール情報に基づいて資源を割り当てることも目的とする。
【００１３】
さらなる他の態様は、ワイアレス通信システムにおける動作可能な装置に関係する。本装置は、少なくとも１つの端末からVCQIレポートを受け取り、VCQIレポートに基づいて少なくとも１つの資源を割り当てるように構成されたプロセッサを含んでいる。プロセッサはまた、VCQIレポートに基づいて電力プロフィールを決定し、決定された電力プロフィールに基づいて送信電力を調節するようにも構成されている。
【００１４】
関連する態様は、ワイアレス通信環境における電力プロフィール情報を送信する方法である。本方法は、チャネル品質を測定すること、および測定されたチャネル品質情報を含むVCQIレポートを作成することを含んでいる。VCQIレポートは、少なくとも１つの基地局に送信される。その基地局は、サービスをしている基地局（以下、「サービング基地局」という。）であってもよいし、またはサービスをしていない基地局（以下、「非サービング基地局」という。）であってもよい。
【００１５】
さらなる態様は、プロセッサおよびメモリを含んでいるワイアレス通信装置に関係する。プロセッサは、チャネル品質を測定し、チャネル品質情報を含むレポートを作成し、および少なくとも１つの基地局にレポートを伝えるための命令を実行する。メモリは、前記プロセッサによって生成される情報を記憶する。
【００１６】
さらなる他の態様は、ワイアレス通信装置に関係する。本装置は、チャネル品質を評価する手段と、評価されたチャネル品質情報を含むVCQIを作成する手段とを含んでいる。本装置はまた、少なくとも１つの基地局にVCQIレポートを伝える手段も含んでいる。
【００１７】
さらなる他の態様は、チャネル品質を評価し、評価されたチャネル品質情報を含むVCQIレポートを作成する機械実行可能な命令を内蔵する機械可読媒体に関係する。VCQIレポートは、少なくとも１つの基地局に伝えられることができる。当該少なくとも１つの基地局は、サービング基地局、または非サービング基地局である。
【００１８】
他の関連する態様は、ワイアレス通信システムにおける動作可能な装置である。本装置は、各々の信号が少なくとも１つのタイルの少なくとも１つの部分に対応する多数の信号を受信し、およびタイル中の少なくとも１つのヌル・パイロットの位置を評価するように構成されたプロセッサを含んでいる。本プロセッサは、少なくとも１つのパイロットに基づいて干渉情報を決定するようにさらに構成されることができる。
【００１９】
上記の目的および関連する目的を達成するために、１つまたは複数の実施形態は、以下において十分説明されかつ特許請求の範囲において特に指摘される特徴を備えている。以下の記述および添付の図面は、ある例示的態様を詳細に記述するものであって、実施形態の原理が使用され得るさまざまな方法のうちのごく少数のものを示すものである。他の利点および新規な特徴は、図面とともに考慮されるとき、以下の詳細な説明から明白なものとなるであろう。また、ここに開示される実施形態は、そのような態様とそれらの均等物とをすべて含むように意図されている。
【図面の簡単な説明】
【００２０】
【図１】図１は、本件明細書において開示される態様を利用することができる多元接続ワイアレス通信システムを例示する。
【図２】図２は、ワイアレス通信環境における資源分配を可能にするシステムの一例を示す。
【図３】図３は、SISO(単一入力単一出力)環境のためのVCQIレポートの一例のためのフィールドを例示する。
【図４】図４は、MIMO(複数入力複数出力)環境のためのVCQIレポートのためのフィールドの一例を示す。
【図５】図５は、SIMO(単一入力複数出力)環境のためのVCQIレポートの一例を示す。
【図６】図６は、資源分配を可能にするシステムを例示する。
【図７】図７は、周波数分割二重(FDD)多元接続ワイアレス通信システムのためのスーパーフレーム構造の態様を例示する。
【図８】図８は、時分割二重(TDD)多元接続ワイアレス通信システムのためのスーパーフレーム構造の態様を例示する。
【図９】図９は、多元接続ワイアレス通信システムのための資源分配スキームの態様を例示する。
【図１０】図１０は、多元接続ワイアレス通信システムのための資源分配スキームのためのサブツリーの態様を例示する。
【図１１】図１１は、ワイアレス通信システムにおける資源分配を可能にする方法を例示する。
【図１２】図１２は、ワイアレス通信環境における電力プロフィール情報を送信する方法を例示する。
【図１３】図１３は、送信機システムおよび受信機システムの実施形態のブロック図を例示する。
【図１４】図１４は、ワイアレス環境における資源分配を可能にするシステムを例示する。
【図１５】図１５は、ワイアレス通信環境における電力プロフィール情報を送信するシステムを例示する。
【発明の詳細な説明】
【００２１】
次に、図面に関連してさまざまな実施形態が説明される。以下の記述において、説明の目的上、１つまたは複数の態様の完全な理解を提供するために多数の特別の詳細が記述される。しかしながら、そのような実施形態は、これらの特別の詳細を備えることなく実施可能でもあることは明白なことであろう。他の実例において、これらの実施形態の説明を円滑にするため、周知の構造および装置は、ブロック図の形で示される。
【００２２】
本件出願中で使用されているように、「コンポーネント」、「モジュール」、「システム」、および同様の語は、コンピュータ関連の実体−ハードウェア、ファームウェア、ハードウェアとソフトウェアとの組み合わせ、ソフトウェア、または実行中のソフトウェアのいずれか−を指すよう意図されている。例えば、コンポーネントは、プロセッサ上で実行中のプロセス、プロセッサ、オブジェクト、実行可能ファイル、実行スレッド、プログラム、および/または、コンピュータであってもよい。しかし、これらに限るものではない。実例として、計算デバイス上で実行中のアプリケーション、および計算デバイスは、ともにコンポーネントであり得る。１つまたは複数のコンポーネントは、プロセスおよび/または実行スレッドの中に在ることができる。また、コンポーネントは、１つのコンピュータに局所化されたもの、および/または２つ以上のコンピュータ間で分散されたものであることができる。さらに、これらのコンポーネントは、各種データ構造を内蔵するさまざまなコンピュータ可読媒体から実行することができる。これらのコンポーネントは、１つまたは複数のデータパケット(例えば、ローカルシステム、分散システム、および/またはシグナルを用いて他のシステムと通信するインターネットのようなネットワーク上で他のコンポーネントと相互作用するコンポーネントからのデータ)を有するシグナルにしたがっているようなローカルプロセスおよび/またはリモートプロセスを用いて通信をすることができる。
【００２３】
さらに、ワイアレス端末に関連して、さまざまな実施形態が説明される。ワイアレス端末は、システム、加入者ユニット、加入者局、モバイル局、モバイル、モバイルデバイス、リモートステーション、リモート端末、アクセス端末、ユーザ端末、端末、ワイアレス通信デバイス、ユーザエージェント、ユーザデバイス、またはユーザ設備と呼ばれることがある。ワイアレス端末は、セルラ電話、コードレス電話、SIP(セッション・イニシエーション・プロトコル)電話、WLL(ワイアレス・ローカル・ループ)局、PDA(携帯情報端末)、ワイアレス接続能力のある携帯デバイス、計算デバイス、または無線モデムに接続される処理デバイスであってもよい。
【００２４】
さらに、基地局に関連して、さまざまな実施形態が説明される。基地局は、ワイアレス端末と通信するために利用されることができる。基地局は、アクセスポイント、ノードB、または他の何らかの用語で呼ばれることがある。
【００２５】
多数のデバイス、コンポーネント、モジュール、および同様のものを含むシステムの観点から、さまざまな実施形態または特徴が提示されるであろう。さまざまなシステムは、追加的なデバイス、コンポーネント、モジュールを含んでもよいこと、および/または、図面に関連して議論されるデバイス、コンポーネント、モジュールのすべてを含む必要はないこと、が理解されるべきである。これらのアプローチの組み合わせが使用されてもよい。
【００２６】
図１は、本件明細書において開示される態様を利用することができる多元接続ワイアレス通信システム１００を例示する。さらに詳細にいえば、多元接続ワイアレス通信システム１００は、例えばセル１０２、１０４および１０６のような複数のセルを含んでいる。図１の実施形態において、セル１０２、１０４および１０６の各々は、複数のセクタを含むアクセスポイント１０８、１１０、１１２を含むことができる。複数のセクタは、セルの部分にあるアクセス端末との通信に責任を有する個々のアンテナから成るアンテナグループによって形成されている。セル１０２において、アンテナグループ１１４、１１６および１１８は、各々異なるセクタに対応する。セル１０４において、アンテナグループ１２０、１２２および１２４は、各々異なるセクタに対応する。セル１０６において、アンテナグループ１２６、１２８および１３０は、各々異なるセクタに対応する。
【００２７】
各セルは、いくつかのアクセス端末を含んでいる。これらのアクセス端末は、各アクセスポイントの１つまたは複数のセクタと通信できる状態にある。例えば、アクセス端末１３２、１３４、１３６および１３８は、基地局１０８と通信できる状態にある。アクセス端末１４０、１４２および１４４は、アクセスポイント１１０と通信できる状態にある。また、アクセス端末１４６、１４８および１５０は、アクセスポイント１１２と通信できる状態にある。
【００２８】
例えば、セル１０４において例示されているように、各アクセス端末１４０、１４２および１４４は、それぞれのセル内にある他のアクセス端末とは異なった部分に位置している。さらに、アクセス端末１４０、１４２および１４４の各々は、それが通信している対応するアンテナグループと異なった距離であってもよい。これら両方のファクタは、セル内の環境条件および他の条件ともあいまって、各アクセス端末とそれが通信する対応するアンテナグループとの間に、それぞれ異なるチャネル条件を存在させる状況をもたらすことになる。
【００２９】
コントローラ１５２は、セル１０２、１０４および１０６の各々に連結される。コントローラ１５２は、多元接続ワイアレス通信システム１００のセルと通信できる状態にあるアクセス端末へおよび同アクセス端末から情報を供給する複数のネットワーク（例えば、インターネット、他のパケットベースのネットワーク、または回路交換音声ネットワーク）に対して、１つまたは複数の接続を具備することができる。コントローラ１５２は、アクセス端末からの、およびアクセス端末への、送信をスケジュールするスケジューラを含んでいる、またはそれと連結されている。いくつかの実施形態において、スケジューラは、各々の個別のセルの中、セルの各々のセクタの中、またはこれらの組み合わせの中に駐在するものであってもよい。
【００３０】
本件明細書において使用されているように、アクセスポイントは、端末と通信するために使用される固定局であってもよい。アクセスポイントは、基地局、ノードB、または他の何らかの用語で呼ばれることもできるし、およびこれらのものの機能性の一部またはすべてを含むこともできる。アクセス端末は、ユーザ設備（UE）、ワイアレス通信デバイス、端末、モバイル局または他の何らかの用語で呼ばれることもできるし、およびこれらのものの機能性の一部またはすべてを含むこともできる。
【００３１】
図１は、物理的なセクタ(例えば、異なるセクタについては異なるアンテナグループを有しているセクタ)を描いているものの、他のアプローチも利用可能であることが注目されるべきである。例えば、各々（各ビーム）が周波数空間のセルの異なるエリアをカバーする複数の固定ビームを利用することは、物理セクタの代わりに、または物理セクタと結合して、利用されてもよい。
【００３２】
図２は、ワイアレス通信環境における資源分配を可能にするシステム２００の一例を示す。システム２００は、ベクトル化チャネル品質インジケータ(VCQI)レポートを生成し、およびそのレポート情報をサービング基地局および/または非サービング基地局に提供するように構成されることができる。そのレポートは、時間、周波数、および/または空間次元の上の端末チャネル品質を示すために、サービング基地局または非サービング基地局(端末がハンドオフをする可能性のある基地局)によって使用されることができる。
【００３３】
システム２００は、１つまたは複数の基地局２０４および２０６とワイアレス通信を行なえる状態にある端末２０２を含んでいる。基地局２０４および２０６は、サービング基地局および/または非サービング基地局であり得る。ワイアレス通信環境においては、２以上の端末および３以上の基地局が含まれ得るけれども、単純化のために、そのようなデバイスは、図には示されていない。
【００３４】
端末２０２は、ワイアレス通信システム内のチャネル品質を測定するように構成されることができる評価器２０８を含むことができる。評価器２０８は、さまざまな次元(例えば、時間、周波数、空間)の上のチャネル品質を決定することができる。以下において、チャネル品質の決定に関係するさらなる情報が提供される。
【００３５】
レポート作成器２１０も、端末２０２に含まれることができる。レポート作成器２１０は、評価器２０８によって測定されたチャネル品質情報を評価し、および当該情報をVCQIレポートに含むように構成されることができる。VCQIレポートは、１つまたは複数のサービングおよび/または非サービング基地局２０４,２０６に対して、送信機２１２によって送られることができる。図３、４および５に関し、SISOおよびMIMOのVCQIのための例示的レポートが以下で論じられる。
【００３６】
システム２００は、プロセッサ２１６を含んでいる。プロセッサ２１６は、端末２０２と（および/またはメモリ２１４と）動作可能的に連結されていて、チャネル品質を測定すること、１つまたは複数のレポートを作成すること、および当該１つまたは複数のレポートをサービングおよび/または非サービング基地局に送信すること、に関係する命令を実行することができる。プロセッサ２１６は、各々の信号が少なくとも１つのタイルの少なくとも部分に対応し、前期タイル中の少なくとも１つのヌル・パイロットの位置を確認し、および前記少なくとも１つのヌル・パイロットに基づいて干渉情報を評価するための命令をさらに実行することができる。さらに、プロセッサ２１６は、信号が受信されるインターレースを評価するための命令と、当該インターレースに基づいて前記位置を確認すべきかどうかを決定する命令とをさらに実行することができる。プロセッサ２１６はまた、システム２００の１つまたは複数のコンポーネントを制御するプロセッサ、および/または、送信機２０２によって受信される情報の分析および生成の両方を行ない、かつシステム２００の１つまたは複数のコンポーネントを制御するプロセッサであることもできる
メモリ２１４は、チャネル品質情報に関係する情報および/またはプロセッサ２１６によって生成されるレポート、およびワイアレス通信ネットワークにおける情報の通信に関係する他の適切な情報を記憶することができる。メモリ２１４は、端末２０２と基地局２０４,２０６との間の通信を制御するためのアクションを取ることに関連するプロトコルをさらに記憶することができる。そのことにより、システム２００は、本件明細書に開示されているさまざまな態様を実装するために、前記記憶されたプロトコルおよび/またはアルゴリズムを使用することができる。
【００３７】
本件明細書において説明されているデータ記憶(例えばメモリ)コンポーネントは、揮発性メモリまたは不揮発性メモリのいずれでもよく、またその両方を含むこともできる、ということが認識されるべきである。実例として、かつ制限的列挙ではなく、不揮発性メモリは、読み取り専用メモリ(ROM)、プログラマブルROM(PROM)、電気的プログラマブルROM(EPROM)、電気的消去可能ROM(EEPROM)、またはフラッシュメモリを含むことができる。揮発性メモリは、ランダムアクセスメモリ(RAM)を含むことができる。これは、外部キャッシュメモリとしての働きをする。実例として、かつ制限的列挙ではなく、RAMは、同期式RAM(SRAM)、ダイナミックRAM(DRAM)、同期式DRAM(SDRAM)、ダブル・データ・レートSDRAM(DDR SDRAM)、エンハンストSDRAM(ESDRAM)、シンクリンク（Synchlink）DRAM(SLDRAM)、および直接ラムバスRAM(DRRAM（登録商標）)のような多くの形式で利用可能である。開示された実施形態のメモリ２１０は、上記のメモリおよびその他の適切なタイプのメモリを含むことが意図されている。ただし、それらに限られることを意図するものではない。
【００３８】
システム２００は、このようにして、ハンドオフ中のパフォーマンスを高めることができる。ハンドオフが生じるのと実質的に同時に、新しいサービング基地局は、レポートを受け取り、端末のパフォーマンスが良好な(例えば、干渉がより少ない)セクタを知る。
【００３９】
したがって、端末２０２は、信号の強さが良好な資源セット上でスケジュールされることができる。端末２０２およびサービング基地局の両方が前記情報を有しているので、前記情報は、通信品質を改善することができる。
【００４０】
図３は、SISO環境のための典型的なVCQIレポート３００のフィールドを例示する。本件明細書において説明されているレポートに含まれるさまざまなレポートおよび情報は、本質的に例示的であって、他のフィールドおよび/または含まれる情報は、例示され説明されているものと異なるものであってもかまわない。
【００４１】
MessageID」フィールド３０２は、「VCQIReportSISO」メッセージを識別するために利用される。「MessageID」３０２の長さは、８ビットである。「NumPilots」フィールド３０４は、長さ３ビットで、レポートが送信されているセクタの数にセットされることができる。
【００４２】
「ActiveSetIndex」フィールド３０８および「NumPortsSet」フィールド３１０の「NumPilotsOccurances」が在ることができる。「ActiveSetIndex」 ３０８は、VCQIが報告されているセクタに対応する「ActiveSetIndex」であって、長さ３ビットであることができる。「NumPortsSet 」３１０は、長さ３ビットで、VCQIが報告されている対応するセクタのポートセットの数であることができる。
【００４３】
「NumPortsets」の実例は、「PortsetID」フィールド３１２およびVCQIフィールド３１４であることができる。「PortsetID」 ３１２は、長さ３ビットで、VCQIフィールド３１４に対応するポートセットのインデックスであることができる。VCQIフィールドは、長さ４ビットで、このポートセットのための「VCQIValueSISO」にセットされることができる。「VCQIValueSISO」は、リバースコントロールチャネルMACプロトコルのためのCQICH物理層チャネル手順において定義される。
【００４４】
可変の長さを持つことができる「Reserved」フィールド３１６も在ることができる。「Reserved」フィールド３１６は、メッセージ長をオクテットの整数値にするために必要とされるビット数と等しい。「Reserved」フィールド３１６は、すべてゼロにセットされるべきである。
【００４５】
ポートセットまたはホップ・ポートは、論理ドメインにおけるトーンである。例えば、OFDMAシステムにおいて、各シンボルは、トーンの上で周波数に変調される。ホップ・ポートは、論理ドメインにあって、資源配分を円滑にし、いくつかの資源がユーザに割り当てられる。物理ドメインは、サブキャリアまたはトーンと呼ばれる。これらは、１セットの論理資源である。論理資源の各々について、そのような実例の非ポートセットのためにレポートが生成されることができる。レポートは、ポートセットID(論理資源のID)を示すことができる。これは、資源セット上のCQI(チャネル品質表示)である。端末は、サービング基地局および/または非サービング基地局にレポートを送ることができる。
【００４６】
次に図４に関し、ここに図示されているのは、MIMO環境のためのVCQIレポート４００のフィールドである。各層のMIMOにおいて、異なるCQIが在ることができる。「MessageID」フィールド４０２は、長さ８ビットで、「VCQIReportMIMO」メッセージを識別するために利用されることができる。「NumPilots」フィールド４０４は、長さ３ビットで、レポートが送られているセクタの数にセットされることができる。
【００４７】
以下のレコードの「NumPilots」の発生は、「ActiveSetIndex」フィールド４０６および「NumPortsets」フィールド４０８を含むことができる。「ActiveSetIndex」フィールド４０６は、長さ３ビットで、VCQIが報告されているセクタに対応する「ActiveSetIndex」であり得る。「NumPortsets」フィールド４０８は、長さ３ビットで、VCQIが報告されている対応するセクタのポートセットの数であり得る。
【００４８】
以下のレコードの「NumPortsets」の実例は、「PortsetID」フィールド４１０および「NumEffectiveAntennas」フィールド４１２を含むことができる。「PortsetID」 ４１０は、長さ３ビットで、VCQIフィールド４１４に対応するポートセットのインデックスであり得る。「NumEffectiveAntennas」フィールド４１２は、長さ２ビットで、VCQIフィールド４１４に対応する有効なアンテナの数であり得る。
【００４９】
以下のレコードの「NumEffectiveAntennas」は、VCQIフィールド４１４を含むことができる。それは長さ４ビットである。VCQIフィールド４１４は、このポートセットのための「VCQIValueMIMO」にセットされることができる。「VCQIValueMIMO」は、リバースコントロールチャネルMACプロトコルのためのCQICH物理層チャネル手順において定義される。
【００５０】
さらに含まれているのは、可変の長さを持つことができる「Reserved」フィールド４１６である。「Reserved」フィールド４１６は、メッセージ長をオクテットの整数値にするために必要とされる数と等しくなり得る。このフィールドは、すべてゼロにセットされるべきである。
【００５１】
図５は、SIMO環境のための他の典型的なVCQIレポート５００を例示する。いくつかの態様にしたがって、基本的アクティブセット管理プロトコルは、アクセス端末によって生成されることができるさまざまなフィールドを含むことができる。このレポートは、セル「NullCQI」が含まれているかまたはそうでないかを示すことができる。したがって、今度は、一般パイロット上の干渉を測定する代わりに、サービング・セルが何も送信していない特定のヌル・チャネル上の干渉が測定される。これは、セル内の異なるセクタを調整することができる。また、干渉の一部は、セルの内部または外部から測定されることができる。
【００５２】
VCQIレポート５００は、長さが８ビットであり得る「MessageId」フィールド５０２を含むことができる。アクセス端末は、「MessageID」フィールド５０２を０X０１にセットすることができる。「CellNullCQIIncluded」フィールド５０４は、１ビットの長さを有することができる。「CellNullCQI」値が含まれていない場合、アクセス端末は、このフィールドを「０」にセットすることができる。その反対の場合、アクセス端末は、このフィールドを「１」にセットする。
【００５３】
他のフィールドは、「CellNullCQI」 ５０６である。これは、ゼロビットまたは４ビットの長さを持つことができる。「CellNullCQIIncluded」が「１」である場合、アクセス端末は、このビットを含んでいる。そしてアクセス端末は、そのフィールドを、リバースコントロールチャネルMACにおいて上りリンクのサービングセクタのために定義される「CellNullCQI」にセットする。そうでない場合、「CellNullCQIIncluded」フィールドは、切り捨てられる。
【００５４】
「ReportType」フィールド５０８は、長さ１ビット、「NumPilots」フィールド５１０は、長さ６ビットであり得る。「ReportType」フィールド５０８は、シングル符号語(SCW)レポートについて「０」にセットされることができ、マルチ符号語(MCW)レポートについては「１」にセットされることができる。「NumPilots」フィールド５１０は、長さ６ビットであり得る。アクセス端末は、このフィールドを、レポートが送られているセクタの数にセットすることができる。加えて、アクセス端末は、結合アクティブセットの全構成要素をこのメッセージに含めることができる。「NumPilots」の発生は、「PilotID」フィールド５１２、「ChannelBandSameAsPrevious」フィールド５１４、「ChannelBand」フィールド５１６、および/または「NumResourceSets」フィールド５１８を含んでいる。
【００５５】
「PilotID」フィールド５１２は、長さ１０ビットであり得る。アクセス端末は、「PilotID」フィールド５１２を、アクティブセット中のパイロットの「PilotID」にセットすることができる。「ChannelBandSameAsPrevious」フィールド５１４は、長さ１ビットであり得る。結合アクティブセット中にただ１つの「ChannelBand」がある場合、またはこの「ChannelBand」がこのメッセージ内にリストされた前のパイロットのための「ChannelBand」と同じである場合、アクセス端末は、このフィールドを「１」にセットすることができる。そうでない場合、アクセス端末はこのフィールドを「０」にセットすることができる。
【００５６】
「ChannelBand」フィールド５１６は、可変の長さを持つことができる。「ChannelbandSameAsPrevious」が「０」に等しい場合、「ChannelBand」フィールドは含まれることができ、そうでない場合、それは切り捨てられることができる。もし含まれる場合、このフィールドは、このパイロットのための「ChanneLBand」レコードにセットされることができる。 
「NumResourceSets」フィールド５１８は、長さ５ビットであり得る。アクセス端末は、このフィールドを、報告されている資源セットの数にセットすることができる。「NumResourceSets」の実例は、長さ５ビットである「ResourceSetID」フィールド５２０、および長さ４ビットである「NumRanksOrLayers」フィールド５２２を含むことができる。「ResourceSetID」フィールド５２０は、以下のレコードに対応する「ResourceSetID」にセットされることができる。「NumRanksOrLayers」フィールド５２２は、メッセージ中で報告されるランクまたは層の数を参照する。
【００５７】
VCQIフィールド５２４は、長さ４ビットであり得る。「ReportType」が「０」である場合、VCQIフィールドは、この「ResourceSet」およびランクのために「VCQIValueSCW」にセットされることができる。「ReportType」が「１」である場合、このフィールドは、この「ResourceSet」および層のために「VCQIValueMCW」にセットされるものとする。「VCQIValueSCW」および「VCQIValueMCW」は、リバースコントロールチャネルMACプロトコルにおいて定義されることができる。
【００５８】
さらに含まれることができるのは、「Reserved」フィールド５２６である。これは、長さ０〜７ビットであり得る。このフィールドのビット数は、メッセージ長をオクテットの整数値にするために必要とされる数と等しい。このフィールドは、すべてゼロにセットされることができる。
【００５９】
次に図６に関し、ここに図示されているのは、資源分配を可能にするシステム６００である。システム６００は、ワイアレス通信環境内のモバイル端末によって提供されるレポートに基づいて、スケジューリングを円滑にすることができる。このスケジューリングは、ハンドオフ状況のために利用されることができる。なぜなら、周波数計画および資源セットまたはポートセットについての完全な情報が利用可能であるからである。適切なチャネル品質がある場合、システムは、カバレッジを広げ、および動的調整を円滑にすることができる。そのような動的スケジューリングは、モバイル端末が、通信の最小の割込みに対して整合性のある通信を維持することを可能にすることができる。
【００６０】
さらに詳しく言えば、システム６００は、１つまたは複数の基地局６０４とワイアレス通信をすることができる状態にある１つまたは複数の端末６０２を含んでいる。ただし、図では単純化のために各々のうちの１つだけが示されている。基地局６０４は、サービング基地局または非サービング基地局（例えば、端末６０２がハンドオフをするかもしれない相手基地局）であることができる。
【００６１】
典型的に、端末は、自身のパイロット強度を基地局に報告することができる。しかしながら、この１つの測定値(パイロットの強度)は、動的資源割り当ておよび/または周波数レビューを考慮に入れていない可能性がある。周波数レビューは、複数のセクタが互いに干渉を引き起こしている可能性があるとき、利用されることができる。信号強度の変動により、他のセクタ(例えば基地局)にハンドオフをすることが端末にとって有益である時もあるかもしれない。もし周波数計画が行なわれないと、端末の通信は、中断される可能性がある(例えば、信号レベルが衰えて行って、接続が失われる)。この問題を緩和するために、セクタが互いに干渉することがないように、例えば周波数の繰り返し使用により、いくつかの資源が割り当てられる。
【００６２】
したがって、基地局６０４は、１つまたは複数の端末６０２からVCQIレポートまたはプロファイルを受信するように構成されることができるレポート受領器６０６を含むことができる。レポート受領器６０６は、レポートを送信した特定の端末６０２にそのレポートを関連させることができる。
【００６３】
資源割り当て器６０８は、VCQIレポートに含まれている情報または他のプロファイル情報に基づいて、資源のどのセットを端末６０２に割り当てなければならないかを決定することができる。例えば、現在のサービングセクタについて、端末は、SNRが高いと報告し、他の資源セットの上では、SNRが低いと報告する。このことは、資源セットのうちの１つの上で近隣のセクタが干渉していることを示している。資源割り当て器６０８は、この情報を分析し、干渉していない資源上に端末をスケジュールすることができる。干渉している資源は、干渉を経験していない他の端末へスケジュールされることができる。
【００６４】
したがって、レポートは、資源割り当て器６０８が、あるユーザに対してより最適な資源を決定し割り当てることを可能にし、および/またはハンドオフ拡張のために情報を利用することができる。したがって、端末の信号が１０dB になる例えば１５ミリ秒が経ってハンドオフを行なうのではなく、端末が干渉を経験していない故にもっと遅くハンドオフをすることができるいくつかの資源がある可能性がある。したがって、端末は、より高いSNRでハンドオフをすることができる。したがって、干渉管理が行なわれるとき、VCQIレポートまたはメッセージは、効率的なハンドオフまたはスケジューリングを可能にすることができる。
【００６５】
加えて、またはその代わりに、システム６００における干渉の量を動的に確認するために、電力プロフィール決定装置６１０によってレポートが利用されることができる。例えば、ランダム周波数が選ばれ送信されることができる。所与の送信量のもと、いくらかの干渉が生じ基地局６０４があまりに多くの資源上で送信をしていると端末が報告するかもしれないことを示すレポートが１つまたは複数の端末６０２によって受信されることがあり得る。この状況において、基地局６０４は、レポートに基づいて、自身の送信を減らすことができる。レポートはまた、周波数計画を駆動し、かつより最適な設定のためにどの周波数計画が使用されるべきかを動的に決定するために、利用されることもできる。
【００６６】
したがって、システム６００は、周波数計画を円滑にすることができ、およびシステム全体に影響する視点に基づいて資源を割り当てることができる。レポートは、個々の端末のために、およびそのような端末をどのようにスケジュールしなければならないかを決めるために、利用されることができる。いくつかの態様にしたがって、レポートは、基地局がどれだけ多くの干渉を起こしているかを決定するために利用されることができる。基地局が過度の量の干渉を起こしている場合、基地局は、自身の送信電力を下げることができ、そのことは、さらによりよいハンドオフを円滑にすることができる。これら２つの情報は、基地局がどのようにしてその資源配分を調節しなければならないかを決定するために利用されることができる。
【００６７】
システム６００は、プロセッサ６１２を含むことができる。プロセッサ６１２は、基地局６０４と（および/またはメモリ６１４と）動作可能的に連結されていて、少なくとも１つの端末のためのプロフィール情報を受信することに関係する命令を実行することができるようになっている。その少なくとも１つの端末とは、基地局によってサーブされている端末であってもよいし、当該基地局によってサーブされていない端末であってもよい。プロセッサ６１２は、プロフィール情報に基づいて割り当て資源を決定する命令を実行することもできる。
【００６８】
加えて、プロセッサ６１２は、受信されたプロフィール情報に基づいて基地局の電力プロフィールを決定する命令を実行することができる。さらに、プロセッサ６１２は、決定された電力プロフィールに基づいて基地局の送信電力を調節する命令を実行することができる。
【００６９】
プロセッサ６１２はまた、システム６００の１つまたは複数のコンポーネントを制御するプロセッサ、および/または、基地局６０４によって受信される情報の分析および生成の両方を行ないかつシステム６００の１つまたは複数のコンポーネントを制御するプロセッサ、であることもできる。
【００７０】
メモリ６１４は、プロセッサ６１２によって生成される情報、およびワイアレス通信ネットワークにおける情報の通信と関係する他の適切な情報、を記憶することができる。メモリ６１４は、端末６０２と基地局６０４との間の通信を制御するためにアクションを取ることに関連するプロトコルをさらに記憶することができ、そのことにより、システム６００は、記憶されているプロトコルおよび/またはアルゴリズムを使用して、本件明細書において開示されている様々な態様を実装することができる。
【００７１】
開示されている態様を十分に理解するために、以下では多元接続ワイアレス通信システムのためのスーパーフレーム構造について論じることにする。図７は、周波数分割二重(FDD)多元接続ワイアレス通信システムのためのスーパーフレーム構造７００の態様を例示する。図８は、時分割二重(TDD)多元接続ワイアレス通信システムのためのスーパーフレーム構造８００の態様を例示する。
【００７２】
上りリンク送信は、スーパーフレーム７００、８００のユニットに分割される。これらのユニットは、スーパーフレーム前文７０４、８０４を含むことができる。これらの前文に続いて、一連の物理層フレームが来る。なお、図では、一連の物理層フレームのごく一部のものが７０６、７０８、８０６、８０８とラベル付けされている。FDDシステムでは、逆リンクおよび上りリンク送信は、異なる周波数を占有することができ、そのことにより、リンク上の送信は、どの周波数サブキャリアの上でもオーバーラップが生じない、または大部分において生じない。TDDシステムにおいて、上りリンクフレームのN個および逆リンクフレームのM個という数は、反対のタイプのフレームの送信を許可する前に連続的に送信されることができるシーケンシャルな上りリンクフレームおよび逆リンクフレームの数を定義する。任意のスーパーフレームの中またはスーパーフレームとスーパーフレームとの間で、NとMの数は変わってもよいことに留意しておくべきである。
【００７３】
FDDおよびTDDの両方のシステムにおいて、各スーパーフレームは、スーパーフレーム前文を含むことができる。ある実施形態において、スーパーフレーム前文は、アクセス端末によるチャネル推定に使用されることができるパイロットチャンネル+と、タイミング情報および他の情報であってアクセス端末が通信を行なうのに十分な情報のような獲得情報とを含んでいる。スーパーフレーム前文は、ブロードキャストチャネルをさらに含んでいる。ブロードキャストチャネルは、設定情報を含んでいて、アクセス端末は、この設定情報を利用することによって、キャリアおよび基礎電力コントロールまたはオフセット情報の１つに関する上りリンクフレーム内の情報を復調することができる。他の場合において、上記情報の一部のみおよび/または他の情報がこのスーパーフレーム前文に含まれることができる。
【００７４】
図７および８に示されているように、スーパーフレーム前文の後には、フレームのシーケンスが続く。各フレームは、同じまたは異なる数のOFDMシンボルを含んでいる。これらのOFDMシンボルは、ある所定の周期にわたる送信のために同時に利用されることができる多数のサブキャリアを含むことができる。
【００７５】
さらに、各フレームは、シンボルレート・モードにしたがって動作する１つまたは複数のゾーンおよび、ブロック・モードにしたがって動作する１つまたは複数のゾーンに分割されることができる。前者のゾーンにおいて、１つまたは複数の非連続のOFDMシンボル、サブキャリア、またはこれらの組み合わせが上りリンクまたは逆リンクの上のユーザに割り当てられる。また、後者のゾーンにおいて、連続するOFDMシンボル、サブキャリア、またはこれらの組み合わせがユーザに割り当てられる。シンボルレート・ユーザに割り当てられるサブキャリアは、フレーム全体に連続している必要はなく、ブロック・ユーザの間に点在していてもよい。
【００７６】
ある態様において、全体の帯域幅は、それのサブセットである多数のキャリアに分割されることができる。これら多数のキャリアは全体として、２０MHz帯域幅のうちの５MHzを具備し、各々のキャリアは、５１２個のサブキャリアを具備する。しかしながら、他のサイズの帯域幅、サブキャリア、およびキャリアが利用可能である。さらに、各キャリアに割り当てられるサブキャリアの数は、同じでなくてもよく、その結果、各キャリア中のサブキャリアの数は、他のキャリアと互いに異なることができる。言い換えれば、あるキャリアは、他のキャリアより多くのサブキャリアを持つことができる。また、１つまたは複数のキャリアは、他のキャリアに関して互いに非同期であることもできる(例えば、上りリンクフレームおよび/または逆リンクフレームについて異なる開始時刻および終了時刻を持つことができる)ということに留意すべきである。制御チャネルまたはスーパーフレーム前文におけるシグナリングまたは割り当てメッセージは、特定のキャリアのためにそのような場合のタイミング情報を伝えることができる。
【００７７】
他の態様において、キャリアは、１.２５MHzの帯域幅(例えば、１２８個のサブキャリアを持っている)または２.５MHzの帯域幅(例えば、２５６個のサブキャリアを持っている)を具備することができる。サブキャリアの数はキャリアによって変わり得ることに留意すべきである。さらに、帯域幅のサイズは、適用可能な規制機関の、適用可能な帯域幅分配およびそれらの分割に従属する。
【００７８】
図９に関し、多元接続ワイアレス通信システムのための資源分配スキームの態様が例示される。図９において、ワイアレス通信システムは、複数のインターレースに分割される。あるインターレースは、フレームX１、X２、およびX３から成り、あるインターレースは、フレームY１、Y２およびY３から成ることができる。インターレースの数およびインターレース当たりのフレーム数は、システム配備に応じて変わり得る。さらに、インターレース当たりのフレーム数は、異なるインターレースに応じて異なってもよく、またスケジューラまたはシステムに基づく変化のために、時とともに変わり得る。
【００７９】
各フレームは、ブロック・モード・ゾーン９００、および分散モード・ゾーン９０５を含んでいる。ブロック・モード・ゾーン９００は、OFDMシンボル、サブキャリアまたはこれらの組み合わせの連続割り当てを持っているユーザを含んでいる。分散ゾーン９００は、OFDMシンボル、サブキャリアまたはこれらの組み合わせの非連続割り当てを持っているユーザを含んでいる。
【００８０】
上で論じたように、分散ゾーン９０５における割り当ては、当該ゾーンにおける分散されたシンボル-サブキャリア組み合わせ（symbol-subcarrier combinations）を含むことができ、その一方で、ブロックゾーン９００における割り当ては、当該ゾーンにおける連続するシンボル-サブキャリア組み合わせを含んでいる。いくつかの態様において、ゾーン９００および９０５は、サブバンド(例えば、サブキャリアの所定の数)を含むことができる。さらに、ゾーン９００および９０５当たりのサブキャリアの数は、フレームごとに変わり得る。さらに、ゾーンの位置は、フレームによって変わり得る。
【００８１】
代替的態様において、ゾーン９００および９０５の位置は、ネットワークを介して計画的に設定されることができる。例えば、互いに隣接しているセクタおよび/またはセルは、シンボルレートモード・ユーザがシンボルレートモード・ユーザのみと干渉し、ブロック・モード・ユーザとは干渉しないように、ゾーン９００および９０５のための帯域幅位置を決定しておくことができる。
【００８２】
他の態様において、インターレースXの上で、サブキャリア９１０の最初のL個の（物理的）グループが、ブロックゾーン９００を形成するために使用される。その一方で、一般的に同じサイズのグループ（不図示）が分散ゾーンを形成するために使用される。１つの態様において、１つのゾーンを形成するサブキャリア９１０のグループのグルーピングは、サブキャリア９１０のグループのスペクトル位置のビット逆転順序（a bit-reversal order）に基づくものであってもよい。すなわち、サブキャリア９１０の各グループは、ビットで表わされる数を割り当てられることができる(例えば、８つのゾーンがある場合、各ゾーンは３ビットのインデックスを持つことができる)。それゆえ、インデックスのビット順序を逆にすることによって、ブロック・モードのユーザに周波数ダイバーシティを提供することができる。周波数ダイバーシティは、フレームごと、インターレースごと、またはその他のものをベースとして、異なるゾーン９００の間で、ブロック・モードにおけるユーザのための割り当てを周波数ホップすることによって、さらに増強されることができる。他の態様において、各ゾーンのためのグループ９１０は、帯域全体にわたって(例えば、一様に間隔を空けて)分散されることができる。
【００８３】
さらに、いくつかの態様において、ゾーン９００および９０５は、ブロック・モードまたは分散モードのうちの１つに資源が割り当てられる連続するサブキャリアのグループであり得るサブバンドを構成することができる。他の態様において、サブキャリア９１０の複数のグループは、サブバンドを構成する(例えば、１つのサブバンドはN個のグループ９１０から成る)ことができる。ある態様において、ユーザは、チャネル条件または選択された嗜好に基づいて、特定のサブバンド上で通信をするようにスケジュールされることができる。さらなる態様において、チャネルツリーが利用される場合、各サブバンドは、スケジューリングのためのそのサブバンド自身のチャネルツリーを有してもよく、そのことによって、１つまたは複数のユーザが、他のサブバンド上で動作するユーザと独立に、そのサブバンドのためのツリー上でホップすることができるようになっている。
【００８４】
他のインターレースY(例えばXの後のインターレース)において、ブロックゾーン９００は、インターレースXを起点として、j個のサブバンドまたはブロックの分、サイクリックにシフトさせられることができる。このサイクリックシフトは、インターレースの各フレームに応じて変化してもよく、インターレースの各フレームについて一定でもよく、またはインターレースのフレームのすべてについて単一のサイクリックシフトを具備するものであってもよい。より多くのインターレースが在る場合、サイクリックシフトが在ることができる。
【００８５】
ゾーン９００および９０５はセクタを超えて同期化され得ることに留意すべきである。この同期化は、干渉推定および部分的周波数再使用(FFR：fractional frequency re-use)の操作を円滑にするために提供されることができる。
【００８６】
ある態様において、各インターレース上で、各ゾーン９００または９０５は、複数のグループ９１０を構成する１つまたは複数のサブゾーンにさらに分割されることができる。ブロック・モード・ゾーンにおいて利用されるサブゾーンにおいて、各サブゾーンは、当該ゾーンにおける連続するグループ９１０を含んでいる。これは、ゾーンにおけるグループ９１０のスペクトルの位置の自然な順序で列挙されることができる。いくつかの態様において、サブゾーンは、サブバンドを構成することができ、各ゾーンは、複数のサブバンドを構成することができる。
【００８７】
さらなる態様において、分散ゾーン９０５のサブゾーンは、当該ゾーン内の連続するグループを含んでいる。これらのグループは、スペクトル位置のビット逆転順序またはスペクトルの位置の自然な順序で列挙されている。他の態様において、各サブゾーンのためのグループ９１０は、帯域全体にわたって(例えば、一様に間隔を空けて)分散されることができる。
【００８８】
ある態様において、分散チャネルは、OFDMシンボル当たり１６のトーンから成ることができる。さらなる態様において、各チャネルは、シンボルレートで、OFDMシンボルごとに、または他のある方法で、分散サブゾーンの中でホップすることができる。
【００８９】
ある態様において、１つのブロックチャネルは、１６トーン×８OFDMシンボルのタイルを含むことができる。さらなる態様において、各チャネルは、フレームのOFDMシンボルの一部または全部を含むことができるスロットレート(例えば、スロットごとに変わるスロットレート)においてブロックサブゾーンの中でホップすることができる。
【００９０】
いくつかの態様において、サブゾーン内のチャネルのホッピングは、セクタとセクタとの間で独立である。さらに、チャネルツリーが利用される場合、各ブロックおよび分散サブゾーンは、チャネルツリーのサブツリー(例えば、連続するベースノードおよびそれらの親ノードのグループ)によって表わされることができる。サブツリーは、サブゾーンに割り当てられることができる。サブゾーン内におけるチャネルノードからチャネル資源へのマッピングは、セクタとセクタの間で独立であることができる。
【００９１】
ゾーンはOFDMシンボルとサブキャリアとの二次元の組み合わせを含み得ることに留意すべきである。そのような場合、ブロック・モードに関し、ゾーンまたはサブゾーンは、フレーム内すべてのシンボルおよびいくつかのサブキャリアより少ない数を含むことになる。１つの例示的な態様において、１つのサブゾーンは、１６サブキャリア×８OFDMシンボル含むことができ、その数は１つのブロックと等しくなり得る。いくつかの態様において、フレーム中のゾーンまたはサブゾーンの場合、チャネルツリーは、資源割り当てのために使用されることができる。また、そのような場合、各ノードは、OFDMシンボルとサブキャリアとの二次元の組み合わせに対応することができ、それは、ゾーン、サブゾーンまたは、二次元の組み合わせのより小さなユニットに対応することができる。
【００９２】
ある態様において、上で議論されたように、ゾーンの使用は、FFRをサポートするように使用されることができる。これらの態様において、資源は、各々の分散ゾーンまたはブロックゾーンの中のFFRポートセットに分割される。そのような態様において、各FFRポートセットは、（サブゾーン、インターレースの）ペアの集合として論理的に言及されるとともに、したがってそのようなペアの集合として、スケジューリングのためにスケジュールされまたは使用されることができる。いくつかの態様において、ブロックゾーンのサブゾーンは、当該ゾーン内の連続するタイル（例えば、連続する資源または非連続の資源）から成ることができ、当該タイルは、スペクトル位置の自然な順序で列挙されている。他の態様において、分散ゾーンのサブゾーンは、当該ゾーン内の連続するタイル（例えば、連続する資源または非連続の資源）から成ることができ、当該タイルは、スペクトル位置ビット逆転順序またはスペクトル位置の自然な順序で列挙されている。これは、セクタパラメータであってもよく、または割り当てメッセージによって示されてもよい。
【００９３】
アクセスポイントへフィードバックされ得るアクセス端末による長期的干渉計測を円滑にするために、すべてのタイル(例えば、割り当て可能な資源または論理資源)に１つのヌル・パイロットが挿入されることに留意すべきである。ヌル・パイロットの位置は、セクタおよび/またはセル特有であってもよい(例えば、あるセクタの偶数タイルに１つ、および隣接するセクタの奇数タイルに１つ)。
【００９４】
図１０は、多元接続ワイアレス通信システムのための資源分配スキームのサブツリーの態様を例示している。多数のサブツリー、ここでは１００２、１００４、１００６および１００８とラベル付けされたサブツリー０-４は、各セクタにおいて複数のサブゾーン(例えばインターレース)のために利用される。このことは、各サブツリーが異なるサブゾーンのために使用されるということであってもよい。したがって、ホッピングまたは他の周波数選択スケジューリングが可能であるとき、１つのサブゾーン内ですべてのチャネルがホップする。
【００９５】
さらなる態様において、各ノードまたはティア(tier)は、関連する電力プロフィールを持っていてもよい。例えば、隣接セクタに対してより少ない干渉を一般に生成する比較的低いPSDポートセットと、ターゲット・アクセス端末のためのC/Iを改善する高いPSDポートセットとがあってもよい。ある態様において、４つのポートセットを備えたシステムにおいて、５MHzの分割が、８つのインターレースのための３２の(サブゾーン、インターレース)ペアを備えた４つのサブゾーンに分けられることができる。しかしながら、この分割は、変化してもよい。例示的な分割は、高いC/Iユーザへの低電力送信のための１つのセクタ特有サブゾーン、中電力送信のための（異なる色のセクタ横断の）１つのコモンサブゾーン、および端のユーザへの高電力送信のための２つのセクタ特有サブゾーンを含むことができる。ある態様において、同じ周波数再使用を持っているセクタについて同じPBPを使用し、および異なる周波数再使用計画のセクタについて高/低電力サブゾーンのジグザグ状のPBPを使用することによって、セル端の端末について干渉が軽減され得る。他の態様において、異なるインターレース中のサブゾーンのサイクリックシフトが行なわれることができる。これは、サブバンド・スケジューリングおよびFFR操作の両方を改善するために使用されることができる。
【００９６】
ある態様において、非再使用のチャネル品質情報(CQI)に基づく再使用セット特有のチャネル品質情報(CQI)と、アクセスポイントによって処理するためのアクセス端末からの追加情報とを供給するために、１つまたは複数のスキームが使用されることができる。ある態様において、各再使用セットについての平均C/Iまたは同様の情報を含む差分(VCQI)メッセージは、「長期的」干渉オフセットのために、非常に低い周波数で報告される。ある態様において、VCQI測定および報告の期間は、スーパーフレームまたはフレーム制御チャネルの中で送信されるハンドオフ・セット・メッセージまたは他のオーバーヘッド・パラメータの中で割り当てられることができる。アクティブセット中のすべてのセクタについてのVCQIは、バックホールインターフェース（a backhaul interface）を介して、宛て先アクセスポイントまたはユーザへ供給されることができる。そのことにより、ユーザは、ハンドオフ時に、好ましい再使用セットの上でスケジュールされることができる。
【００９７】
ある態様において、アクセス端末は、すべての「VCQIReportInterval」スーパーフレームにVCQIレポートを送ることを許される。ここで、「VCQIReportInterval」は、オーバーヘッド・パラメータの一部である。VCQIReportIntervalが０にセットされる場合において、アクセス端末は、いかなるVCQIレポートも送らない。
【００９８】
ある態様において、セクタによって異なる報告インターバルが割り当てられるとき、アクセス端末は、それがセクタ(例えばアクティブセット中のセクタ)から受信する最小限の報告インターバルにしたがって、またはサービングセクタ報告インターバルを採用して（サービングセクタにおいて負荷が生成されるので）、報告をすることができる。報告されるCQIのタイプは、オーバーヘッド・パラメータ、または各チャネルについての他のメッセージ（例えば、SISO、シングルチャネル値、またはMIMO）の値によって定義されることができる。
【００９９】
上に示され記述された例示的システムに照らし、以下のフローチャートを参照すると、開示の主題にしたがって実装されることができる方法がよりよく理解されるであろう。本方法は、説明の簡素化のために一連のブロックとして示され説明されているけれど、いくつかのブロックは、本件明細書において図示され説明されているものとは異なる順序、および/または他のブロックと同時に起きることも可能であるから、特許請求の範囲の主題はブロックの数や順序によって限定されるべきではない、ということが理解され認識されるべきである。さらに、例示されているブロックが以下に記述される方法を実装するためにすべて必要とされるわけでもない。上記ブロックに関連する機能性は、ソフトウェア、ハードウェア、これらの組み合わせ、または他の適切な手段(例えば、デバイス、システム、プロセス、コンポーネント)によって実装可能であることが認識されるべきである。さらに、以下においておよび本件明細書全体にわたって開示されている方法は、当該方法をさまざまなデバイスに移送および転送することを促進するために、ある製造品の記憶されることが可能であるということもさらに認識されるべきである。本件技術分野の当業者であれば、方法は、一連の相互に関係する状態または出来事として、例えば状態遷移図のような形式において、代替的に表現可能であることも理解し、認識するであろう。
【０１００】
図１１に関し、ワイアレス通信システムにおける資源分配を可能にする方法１１００が例示されている。ワイアレス通信システムの内の少なくとも１つの端末からVCQIレポートが受け取られるとき、１１０２において、方法１１００はスタートする。そのレポートは、チャネル品質プロフィールを示すことができる。その端末は、そのレポートを受信する基地局、またはサービング基地局でない基地局、によってサービスを受ける端末であることができる。１１０４において、割り当てるべき資源がVCQIレポートに基づいて端末に割り当てられる。VCQIレポートは、SISOレポート、MIMOレポート、またはSIMOレポートであってよい。
【０１０１】
それに加えて、またはその代わりに、受信したVCQIレポートに基づいて基地局の電力プロフィールを決定することもできる。送信電力は、システム全体にわたる利点をもたらすために、前記決定された電力プロフィールに部分的に基づいて調節されることができる。
【０１０２】
いくつかの態様にしたがって、方法は、異なる論理資源上の個々の端末C/Iのプロフィールを決定するためにVCQIレポートを利用することができる。端末は、VCQIレポートに基づいて、任意の論理資源についての多数の論理的部分資源のうちの少なくとも１つの論理的部分資源に割り当てられることができる。各々の部分論理資源は、１つのチャネルツリーのサブツリーであることができる。いくつかの態様において、部分論理資源は、帯域幅の一部に対応するゾーンに対応することができる。各部分は、サイクリックシフトに基づいて割り当てられることができる。
【０１０３】
図１２は、ワイアレス通信環境における電力プロフィール情報を送信するための方法１２００を例示する。チャネル品質が測定されるとき、１２０２において、方法１２００はスタートする。１２０４において、チャネル品質情報は、作成されるVCQIレポートに含まれる。そのレポートは、１２０６において、１つまたは複数の基地局に送られることができる。基地局は、サービング基地局または非サービング基地局であることができる。
【０１０４】
いくつかの態様にしたがって、VCQIレポートは、複数の信号を含むことができる。ここにおいて、各信号は、少なくとも１つのタイルの少なくとも１つの部分に対応する。タイル中の少なくとも１つのヌル・パイロットの位置を決定することができる。さらに、その少なくとも１つの無効のパイロットに基づいて干渉情報を評価することができる。さらに、信号が受け取られるインターレースを決定し、その決定に基づいて、インターレースに基づいて位置を確認すべきかどうか決めることができる。
【０１０５】
図１３は、アクセスポイント１３１０x、および多元接続多重キャリア通信システム１３００における２つのユーザ端末１３２０xおよび１３２０yの実施形態のブロック図を例示する。アクセスポイント１３１０xにおいて、送信(TX)データプロセッサ１３１４は、データソース１３１２からトラヒックデータ（例えば情報ビット）を受信し、およびコントローラ１３２０およびスケジューラ１３３０からシグナリングおよび他の情報を受信する。例えば、コントローラ１３２０は、アクティブ端末の送信電力を調節するために使用される電力制御(PC)コマンドを提供することができ、またスケジューラ１３３０は、端末のためにキャリアの割り当てを提供することができる。これらのさまざまなタイプのデータは、異なる移送チャネル上で送られることができる。TXデータプロセッサ１３１４は、多重キャリア変調(例えばOFDM)を使用して受信データを符号化し調整し、もって変調データ(例えばOFDMシンボル)を供給する。送信機ユニット(TMTR)１３１６は、変調データを処理し、アンテナ１３１８から送信される下がりリンクの変調信号を生成する。
【０１０６】
各ユーザ端末１３２０xおよび１３２０yにおいて、変調され送信された信号は、アンテナ１３５２によって受信され、受信機ユニット(RCVR)１３５４に提供される。受信機ユニット１３５４は、受信した信号を処理し、デジタル化し、サンプルを提供する。受信(RX)データプロセッサ１３５６は、サンプルを解読し、復号し、もって復号データを提供する。復号データは、復元されたトラヒックデータ、メッセージ、シグナリングなどを含むことができる。トラヒックデータは、データシンク１３５８へ提供されることができる。また端末へ送られるキャリア割り当ておよびPCコマンドは、コントローラ１３６０に提供される。
【０１０７】
コントローラ１３６０は、端末に割り当てられて受信割り当ての中で示される資源を使用して、上りリンク上のデータ伝送を指図する。コントローラ１３６０は、実際送信するデータがないのに、それでもコントローラ１３６０が割り当てられた資源を維持したいと思うとき、抹消署名パケットをさらに注入する。
【０１０８】
コントローラ１３２０は、端末に割り当てられた資源を使用して、下がりリンク上のデータ伝送を指図する。コントローラ１３２０は、実際送信するデータがないのに、それでもコントローラ１３６０が割り当てられた資源を維持したいと思うとき、抹消署名パケットをさらに注入する。
【０１０９】
個々のアクティブ端末１３２０について、TXデータプロセッサ１３７４は、データソース１３７２からトラヒックデータを受信し、およびコントローラ１３６０からシグナリングおよび他の情報を受信する。例えば、コントローラ１３６０は、チャネル品質情報を示す情報、必要とされる送信電力、最大送信電力、または当該端末についての最大送信電力と必要とされる送信電力との間の差を提供することができる。さまざまなタイプのデータは、割り当てられたキャリアを使用して、TXデータプロセッサ１３７４によって符号化され変調され、および送信機ユニット１３７６によってさらに処理されて、アンテナ１３５２から送信される上りリンクの変調信号が生成される。
【０１１０】
アクセスポイント１３１０xにおいて、ユーザ端末から送信される変調信号は、アンテナ１３１８によって受信され、受信機ユニット１３３２によって処理され、およびRXデータプロセッサ１３３４によって復調され、復号される。受信機ユニット１３３２は、各端末について、受信された信号品質（例えば受信SN比(SNR))を推定し、およびこの情報をコントローラ１３２０に提供することができる。コントローラ１３２０は、各端末についての受信信号品質が許容範囲に維持されるように、各端末についてのPCコマンドを導出することができる。RXデータプロセッサ１３３４は、各端末についての復元済みフィードバック情報(例えば、必要とされる送信電力)をコントローラ１３２０およびスケジューラ１３３０に提供する。
【０１１１】
スケジューラ１３３０は、資源を維持するために、コントローラ１３２０に表示を提供することができる。より多くのデータが送信されるべくスケジュールされている場合、この表示が提供される。アクセス端末１３２０xについて、資源が維持される必要があるかどうか、コントローラ１３６０が決定することができる。ある態様において、コントローラ１３２０は、スケジューラ１３３０の機能性を提供する命令を実行することができる。
【０１１２】
さらに、コントローラ１３２０は、アクセスポイントに関し、本件明細書において論じられている機能のすべてまたはその一部を個別にまたは何らかの組み合わせにおいて実行することができる。さらに、コントローラ１３６０も、アクセスポイントに関し、本件明細書において論じられている機能のすべてまたはその一部を個別にまたは何らかの組み合わせにおいて実行することができる。
【０１１３】
図１４は、ワイアレス環境における資源分配を可能にするためのシステム１４００を例示する。システム１４００は、少なくとも部分的に基地局の中に在ることができる。システム１４００は、プロセッサ、ソフトウェアまたは両者の組み合わせ（例えばファームウェア）によって実装される機能を表わす機能ブロックを含むものとして表されることが認識されるべきである。
【０１１４】
システム１４００は、別々にまたは結合して動作することができる電気部品のうちの論理グループ１４０２を含んでいる。論理グループ１４０２は、ワイアレス通信環境内の少なくとも１つの端末からVCQIレポートを受信するための電気部品を含むことができる。端末は、基地局がサービスをしている端末であってよく、または基地局がサービスをしていない端末（例えば、端末がハンドオフをするかもしれない相手局）であってもよい。VCQIレポートは、SISOレポート、MIMOレポートまたはSIMOレポートであってよい。さらに、VCQIレポートは、チャネル品質プロフィールを示すことができる。論理グループ１４０２は、VCQIプロフィール１４０６に基づいて、どの資源を割り当てるべきかを決定するための電気部品も含むことができる。
【０１１５】
いくつかの態様にしたがって、論理グループ１４０２は、受信したVCQIレポート１４０８に基づいて基地局の電力プロフィールを決定するための電気部品を含むことができる。さらに、決定された電力プロフィールに基づいて送信電力を調節するための電気部品も含まれることができる。電力プロフィールは、VCQIレポートを受信したサービング(または非サービング)基地局のプロフィールであることができる。送信電力は、サービング(または非サービング)基地局の送信電力であることができる。
【０１１６】
システム１４００は、電気部品１４０４、１４０６、１４０８および１４１０、または他の部品と関連する機能を実行するための命令を保持するメモリ１４１２を含むことができる。メモリ１４１２の外側にあるものとして示されているが、電気部品１４０４、１４０６、１４０８および１４１０の１つまたは複数がメモリ１４１２内に存在することもできることが理解されるべきである。
【０１１７】
図１５は、ワイアレス通信環境において電力プロフィール情報を送信するためのシステムを例示する。システム１５００は、少なくとも部分的に端末内に在ることができる。
【０１１８】
システム１５００は、プロセッサ、ソフトウェアまたは両者の組み合わせ（例えばファームウェア）によって実装される機能を表わす機能ブロックを含むものとして表されることが認識されるべきである。
【０１１９】
システム１５００は、別々にまたは組み合わせにおいて動作することができる電気部品の論理グループ１５０２を含んでいる。論理グループ１５０２は、チャネル品質１５０４を評価するための電気部品を含むことができる。評価されたチャネル品質情報１５０６を含むVCQIレポートを作成するための電気部品も含まれている。さらに、論理グループ１５０２は、VCQIレポートを少なくとも１つの基地局に伝達するための電気部品も含んでいる。基地局は、サービング基地局であってもよいし、非サービング基地局であってもよい。 [００１３４] いくつかの態様にしたがって、VCQIレポートは、各々の信号が少なくとも１つのタイルの少なくとも１つの部分に対応する複数の信号を含んでいる。論理グループ１５０２は、タイル中の少なくとも１つのヌル・パイロットの位置を評価するための電気部品、および前記少なくとも１つのヌル・パイロットに基づいて干渉情報を確認するための電気部品を含むことができる。さらに、論理グループ１５０２は、信号が受信されるインターレースを決定するための電気部品、および前記インターレースに基づいてその位置を確認すべきかどうか決めるための電気部品を含んでいる。
【０１２０】
システム１５００は、電気部品１５０４、１５０６および１５０８、または他の部品と関連する機能を実行するための命令を保持するメモリ１５１０を含むことができる。メモリ１５１０の外側にあるものとして示されているが、電気部品１５０４、１５０６および１５０８の１つまたは複数は、メモリ１５１０内に存在することもできることが理解されるべきである。 [００１３６] 開示されているプロセスのステップの特別の順序または階層は、例示的アプローチの一例であることが理解される。設計上の嗜好に基づいて、プロセスのステップの特別の順序または階層は、本件開示の範囲にとどまりながらアレンジし直すこともできることが理解される。付随する方法クレームは、さまざまなステップの要素をサンプル的な順序でとして表すものであって、表されている特別の順序または階層に限られることを意図するものではない。
【０１２１】
本件技術分野における当業者であれば、情報および信号は、さまざまな異なる技術および技法のうちのいずれかを使用することによって表わされることができることを理解するであろう。例えば、上記説明全体を通じて参照されることができるデータ、命令、コマンド、情報、信号、ビット、シンボルおよびチップは、電圧、電流、電磁波、磁場または磁粒子、光波動場または光粒子、またはこれらの任意の組み合わせによって表わされることができる。
【０１２２】
当業者であれば、本明細書における開示に関連して説明された様々な例示的な論理ブロック、モジュール、回路、およびアルゴリズムが、電子的ハードウェア、コンピュータソフトウェアまたは両者の組み合わせとして実装されることができることをさらに認識するであろう。ハードウェアとソフトウェアの間のこの相互置換可能性を明白に例示するために、様々な例示的なコンポーネント、ブロック、モジュール、回路およびステップは、上記においてそれらの機能性の観点から一般的に説明されてきた。そのような機能性がハードウェアとして実装されるか、またはソフトウェアとして実装されるかは、特定のアプリケーション、およびシステム全体に課される設計上の制約に依存するところである。当業者は、各々の特定のアプリケーションに応じて変化する手段において、ここに開示された機能性を実装することができる。しかし、そのような実装が、本開示の範囲からの逸脱を引き起こすものとして解釈されてはならない。
【０１２３】
本明細書における開示に関連して説明された様々な例示的な論理ブロック、モジュール、および回路は、汎用目的プロセッサ、デジタル信号プロセッサ(DSP)、特定用途向けのIC(ASIC)、フィールドプログラマブルゲートアレイ(FPGA)または他のプログラマブル論理デバイス、離散的ゲートまたはトランジスタ論理、離散的ハードウェアコンポーネント、またはこれらの任意の組み合わせであって、本明細書記載の機能を実現するように設計されたものによって実装されることができる。汎用目的プロセッサは、マイクロプロセッサであってもよいが、そのかわりに、任意の通常のプロセッサ、コントローラ、マイクロコントローラ、または状態機械（ステートマシン）であってもよい。プロセッサは、計算装置の組み合わせとして、例えば、DSPとマイクロプロセッサとの組み合わせ、複数のマイクロプロセッサ、DSPコアと結合した１つまたは複数のマイクロプロセッサ、または他の任意の同様の機器構成として、実装されることもできる。
【０１２４】
本明細書における開示に関連して説明された方法またはアルゴリズムのステップは、ハードウェア、プロセッサによって実行されるソフトウェアモジュール、またはその２つの組み合わせにおいて直接具体化されることができる。ソフトウェアモジュールは、RAMメモリ、フラッシュメモリ、ROMメモリ、EPROMメモリ、EEPROMメモリ、レジスタ、ハードディスク、リムーバブルディスク、CD-ROMまたは本件技術分野において既知の他の任意の形式の記憶媒体の中に在ることができる。一例としての記憶媒体は、プロセッサが記憶媒体から情報を読み取る、または記憶媒体に情報を書き込むことができるように、プロセッサと結合されている。そのかわりに、記憶媒体がプロセッサと一体化されていてもよい。その場合、プロセッサおよび記憶媒体がASICの中に存在し、そのASICがユーザ端末の中に存在するという構成であってもよい。そのかわりに、プロセッサおよび記憶媒体がユーザ端末において、離散的コンポーネントとして、存在するという構成も可能である。
【０１２５】
本開示の以上の説明は、どのような当業者も、本開示の発明を製造し、または使用することができるように提供されている。本開示に対する様々な修正は、当業者にとって直ちに明白であろう。また、本明細書において定義された一般原則は、本開示の要旨または範囲から逸脱することなく、他の変形に対して適用可能である。そのような意味において、本開示は、本明細書において説明された事例および設計に限定されるよう意図されているものではなく、本明細書に開示された原則および新規な特徴と一致する最も広い範囲が与えられるべきものである。
【０１２６】
ソフトウェア実装については、本件明細書において説明された技術は、本件明細書において説明された機能を行なうモジュール(例えば手順、関数など)を用いることによって実装されることができる。ソフトウェアコードは、メモリユニットに記憶され、プロセッサによって実行されることもできる。メモリユニットは、プロセッサの内部で、または外部で実装されることができる。いずれの場合も、メモリユニットは、本件技術分野において知られているさまざまな手段によって、前記プロセッサと通信可能的に連結されることができる。
【０１２７】
さらに、本件明細書において説明されたさまざまな態様または特徴は、標準的なプログラミングおよび/または工学的技術を使用して、方法、装置、または製造品として実装されることができる。本件明細書において使用されているような「製造品」という語は、コンピュータ可読なデバイス、キャリア、または媒体からアクセス可能なコンピュータプログラムを含むことが意図されている。例えば、コンピュータ可読媒体は、以下のものに限られるわけではないが、磁気記憶デバイス（例えば、ハードディスク、フレキシブルディスク、磁気ストリップなど)、光ディスク(例えば、コンパクトディスク(CD)、デジタル・バーサタイル・ディスク（DVD）など)、スマートカード、およびフラッシュメモリデバイス(例えば、カード、スティック、キードライブなど)を含むことができる。さらに、本件明細書において記述されたさまざまな記憶媒体は、情報を記憶するための１つまたは複数のデバイスおよび/または他の機械可読媒体を含むことができる。「機械可読媒体」という語は、以下のものに限られるわけではないが、ワイアレスチャネルおよび他のさまざまなメディアであって、命令および/またはデータを記憶する、含む、および/または運ぶことができるものを含むことができる。
【０１２８】
上で説明されたことは、１つまたは複数の実施形態の例を含んでいる。前述の実施形態について説明するために、部品または方法の考えられ得るあらゆる組み合わせについて説明することは、もちろん、不可能なことである。しかし、当業者であれば、さまざまな実施形態の多くのさらなる組み合わせおよび入れ換えが可能であることを認識することができるであろう。したがって、説明された実施形態は、添付されている請求項の範囲内に入る変更、修正および変形をすべて包含することが意図されている。「含む」（includes）という語が詳細な説明または請求項のいずれかで使用される範囲において、その語は、「具備する」/「含む」（comprising）という語が請求項において接続的用語として使用されるときに解釈されるのと同じような意味合いで包括的であることが意図されている。さらに、詳細な説明または請求項のいずれかにおいて用いられるような「または」という語は、非排他的な「または」を意味している。
【図１】
2014197858.tif 000003
【図２】
2014197858.tif 000004
【図３】
2014197858.tif 000005
【図４】
2014197858.tif 000006
【図５】
2014197858.tif 000007
【図６】
2014197858.tif 000008
【図７】
2014197858.tif 000009
【図８】
2014197858.tif 000010
【図９】
2014197858.tif 000011
【図１０】
2014197858.tif 000012
【図１１】
2014197858.tif 000013
【図１２】
2014197858.tif 000014
【図１３】
2014197858.tif 000015
【図１４】
2014197858.tif 000016
【図１５】
2014197858.tif 000017
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
ワイアレス通信システムにおける資源分配を可能にする方法であって、
前記ワイアレス通信システムの内の少なくとも１つの端末からベクトル化チャネル品質インジケータ(VCQI)レポートを受信すること、および
前記VCQIレポートに基づいて、どの資源を割り当てるべきかを決定すること
を含む方法。
【手続補正２】
【補正対象書類名】明細書
【補正対象項目名】０１２８
【補正方法】変更
【補正の内容】
【０１２８】
上で説明されたことは、１つまたは複数の実施形態の例を含んでいる。前述の実施形態について説明するために、部品または方法の考えられ得るあらゆる組み合わせについて説明することは、もちろん、不可能なことである。しかし、当業者であれば、さまざまな実施形態の多くのさらなる組み合わせおよび入れ換えが可能であることを認識することができるであろう。したがって、説明された実施形態は、添付されている請求項の範囲内に入る変更、修正および変形をすべて包含することが意図されている。「含む」（includes）という語が詳細な説明または請求項のいずれかで使用される範囲において、その語は、「具備する」/「含む」（comprising）という語が請求項において接続的用語として使用されるときに解釈されるのと同じような意味合いで包括的であることが意図されている。さらに、詳細な説明または請求項のいずれかにおいて用いられるような「または」という語は、非排他的な「または」を意味している。
なお、以下に、出願当初の特許請求の範囲に記載された発明を付記する。
［Ｃ１］ワイアレス通信システムにおける資源分配を可能にする方法であって、
前記ワイアレス通信システムの内の少なくとも１つの端末からベクトル化チャネル品質インジケータ(VCQI)レポートを受信すること、および
前記VCQIレポートに基づいて、どの資源を割り当てるべきかを決定すること
を含む方法。
［Ｃ２］前記VCQIレポートは、サービング基地局によって受信される、Ｃ１に記載の方法。
［Ｃ３］前記VCQIレポートは、非サービング基地局によって受信される、Ｃ１に記載の方法。
［Ｃ４］前記VCQIレポートは、SISOレポート、MIMOレポートまたはSIMOレポートである、Ｃ１に記載の方法。
［Ｃ５］前記VCQIレポートは、チャネル品質プロフィールを示す、Ｃ１に記載の方法。
［Ｃ６］前記受信されたVCQIレポートに基づいて基地局の電力プロフィールを決定することをさらに含む、Ｃ１に記載の方法。
［Ｃ７］前記決定された電力プロフィールに基づいて前記基地局の送信電力を調節することをさらに含む、Ｃ６に記載の方法。
［Ｃ８］ワイアレス通信装置であって、
少なくとも１つの端末からプロフィール情報を受信し、および前記プロフィール情報に基づいて、割り当てるべき資源を決定するための命令を実行するプロセッサ、および
前記プロセッサによって生成される情報を記憶するメモリ
を含む装置。
［Ｃ９］前記装置は、サービング基地局である、Ｃ８に記載のワイアレス通信装置。
［Ｃ１０］前記装置は、非サービング基地局である、Ｃ８に記載のワイアレス通信装置。
［Ｃ１１］前記プロフィール情報は、VCQIレポートの中に含まれている、Ｃ８に記載のワイアレス通信装置。
［Ｃ１２］前記VCQIレポートは、SISOレポート、MIMOレポートまたはSIMOレポートである、Ｃ１１に記載のワイアレス通信装置。
［Ｃ１３］前記プロセッサは、前記受信されたプロフィール情報に基づいて前記装置の電力プロフィールを決定するための命令をさらに実行する、Ｃ８に記載のワイアレス通信装置。
［Ｃ１４］前記プロセッサは、前記決定された電力プロフィールに基づいて送信電力を調節するための命令をさらに実行する、Ｃ１３に記載のワイアレス通信装置。
［Ｃ１５］資源計画を円滑にするワイアレス通信装置であって、
前記ワイアレス通信システムの内の少なくとも１つの端末からVCQIレポートを受信するための手段、および
前記VCQIプロフィールに基づいて、どの資源を割り当てるべきかを決定するための手段
を含む装置。
［Ｃ１６］前記装置は、サービング基地局である、Ｃ１５に記載のワイアレス通信装置。
［Ｃ１７］前記装置は、非サービング基地局である、Ｃ１５に記載のワイアレス通信装置。
［Ｃ１８］前記VCQIレポートは、SISOレポート、MIMOレポートまたはSIMOレポートである、Ｃ１５に記載のワイアレス通信装置。
［Ｃ１９］前記VCQIレポートは、チャネル品質プロフィールを示す、Ｃ１５に記載のワイアレス通信装置。
［Ｃ２０］前記受信されたVCQIレポートに基づいて基地局の電力プロフィールを決定するための手段をさらに含む、Ｃ１５に記載のワイアレス通信装置。
［Ｃ２１］前記決定された電力プロフィールに基づいて前記基地局の送信電力を調節する、Ｃ２０に記載のワイアレス通信装置。
［Ｃ２２］次のことのための機械実行可能な命令を内蔵する機械可読媒体：
少なくとも１つの端末からプロフィール情報を受信すること、ここにおいて、前記プロフィール情報は、VCQIレポートに含まれる、および
前記受信されたプロフィール情報に基づいて資源を割り当てること。
［Ｃ２３］前記VCQIレポートは、SISOレポート、MIMOレポートまたはSIMOレポートである、Ｃ２２に記載の機械可読媒体。
［Ｃ２４］前記機械実行可能な命令は、さらに
前記受信されたプロフィール情報に基づいて電力プロフィールを決定すること、および
前記決定された電力プロフィールに基づいて送信電力を調節すること
のためである、Ｃ２２に記載の機械可読媒体。
［Ｃ２５］ワイアレス通信システムにおいて動作可能な装置であって、
少なくとも１つの端末からVCQIレポートを受信し、
前記VCQIレポートに基づいて少なくとも１つの資源を割り当て、
前記VCQIレポートに基づいて電力プロフィールを決定し、および
前記決定された電力プロフィールに基づいて送信電力を調節する、
ように構成されたプロセッサを含む装置。
［Ｃ２６］ワイアレス通信環境中の電力プロフィール情報を送信するための方法であって、
チャネル品質を測定すること、
前記測定されたチャネル品質情報を含むVCQIレポートを作成すること、および
前記VCQIレポートを少なくとも１つの基地局に送信すること
を含む方法。
［Ｃ２７］前記少なくとも１つの基地局は、サービング基地局である、Ｃ２６に記載の方法。
［Ｃ２８］前記少なくとも１つの基地局は、非サービング基地局である、Ｃ２６に記載の方法。
［Ｃ２９］前記VCQIレポートは、各々の信号が少なくとも１つのタイルの少なくとも１つの部分に対応する複数の信号を含む、Ｃ２６に記載の方法であって、
前記タイル中の少なくとも１つのヌル・パイロットの位置を決定すること、および
前記少なくとも１つのヌル・パイロットに基づいて干渉情報を決定すること
をさらに含む方法。
［Ｃ３０］Ｃ２９に記載の方法であって、
前記信号が受信されるインターレースを決定すること、および
前記インターレースに基づいて、前記位置を確認すべきかどうかを決定すること
をさらに含む方法。
［Ｃ３１］チャネル品質を測定し、前記チャネル品質情報を含むレポートを作成し、および前記レポートを少なくとも１つの基地局に伝えるための命令を実行するプロセッサ、および
前記プロセッサによって生成される情報を記憶するメモリ
を含むワイアレス通信装置。
［Ｃ３２］前記少なくとも１つの基地局は、サービング基地局である、Ｃ３１に記載のワイアレス通信装置。
［Ｃ３３］前記少なくとも１つの基地局は、非サービング基地局である、Ｃ３１に記載のワイアレス通信装置。
［Ｃ３４］前記プロセッサは、各々の信号が少なくとも１つのタイルの少なくとも１つの部分に対応する複数の信号を受信し、前記タイル中の少なくとも１つのヌル・パイロットの位置を確認し、および前記少なくとも１つのヌル・パイロットに基づいて干渉情報を評価するための命令をさらに実行する、Ｃ３１に記載のワイアレス通信装置。
［Ｃ３５］前記プロセッサは、前記信号が受信されるインターレースを評価し、および前記インターレースに基づいて前記位置を確認すべきかどうかを決定するための命令をさらに実行する、Ｃ３４に記載のワイアレス通信装置。
［Ｃ３６］チャネル品質を評価するための手段、
前記評価されたチャネル品質情報を含むVCQIレポートを作成するための手段、および
VCQIレポートを少なくとも１つの基地局に伝えるための手段
を含むワイアレス通信装置。
［Ｃ３７］前記少なくとも１つの基地局は、サービング基地局である、Ｃ３６記載のワイアレス通信装置。
［Ｃ３８］前記少なくとも１つの基地局は、非サービング基地局である、Ｃ３６記載のワイアレス通信装置。
［Ｃ３９］前記VCQIレポートは、各々の信号が少なくとも１つのタイルの少なくとも部分に対応する複数の信号を含む、Ｃ３６に記載のワイアレス通信装置であって、
前記タイル中の少なくとも１つのヌル・パイロットの位置を評価する手段、および
前記少なくとも１つのヌル・パイロットに基づいて干渉情報を確認するための手段
を含む装置。
［Ｃ４０］前記信号が受信されるインターレースを決定する手段、および
前記インターレースに基づいて前期位置を確認すべきかどうか決めるための手段
を含む、Ｃ３９に記載のワイアレス通信装置。
［Ｃ４１］次のことを実行する機械実行可能な命令を内蔵する機械可読媒体:
チャネル品質を評価すること、
前記評価されたチャネル品質情報を含むVCQIレポートを作成すること、および
前記VCQIレポートを少なくとも１つの基地局に伝えること、ここにおいて、前記少なくとも１つの基地局は、サービング基地局または非サービング基地局である。
［Ｃ４２］ワイアレス通信システムにおける動作可能な装置であって、
各々の信号が少なくとも１つのタイルの少なくとも１つの部分に対応する複数の信号を受信し、
前記タイル中の少なくとも１つのヌル・パイロットの位置を評価し、および
前記少なくとも１つのパイロットに基づいて干渉情報を決定する
ように構成されたプロセッサを含む装置。
［Ｃ４３］前記プロセッサは、
前記信号が受信されるインターレースを決定し、および
前記インターレースに基づいて前記位置を評価すべきかどうか決める
ようにさらに構成された、Ｃ４２に記載の装置。
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
ワイアレス通信システムにおける資源分配を可能にする方法であって、
前記ワイアレス通信システム内の少なくとも１つの端末からベクトル化チャネル品質インジケータ(VCQI)レポートを受信すること、および
前記VCQIレポートに基づいて、割り当てるべきターゲット再使用セットを決定すること、
ここにおいて、前記VCQIレポートは、複数のセクタについて前記端末によって測定されかつ前記端末の瞬間チャネル品質報告インターバルと比べてより低い周波数で報告される平均チャネル品質情報を含み、バックホールインターフェースを介して前記少なくとも１つの端末の非サービング基地局によって受信される、
を含む方法。
【請求項２】
前記VCQIレポートは、単一入力単一出力（SISO）レポート、複数入力複数出力（MIMO）レポートまたは単一入力複数出力（SIMO）レポートである、請求項１に記載の方法。
【請求項３】
前記VCQIレポートは、チャネル品質プロフィールを示す、請求項１に記載の方法。
【請求項４】
前記受信されたVCQIレポートに基づいて前記非サービング基地局の電力プロフィールを決定することをさらに含む、請求項１に記載の方法。
【請求項５】
前記決定された電力プロフィールに基づいて前記非サービング基地局の送信電力を調節することをさらに含む、請求項４に記載の方法。
【請求項６】
ワイアレス通信装置であって、
バックホールインターフェースを介して少なくとも１つの端末からプロフィール情報を受信し、および前記プロフィール情報に基づいて、割り当てるべきターゲット再使用セットを決定するための命令を実行するプロセッサ、および
前記プロセッサによって実行される前記命令を記憶するメモリ、
ここにおいて、前記プロフィール情報は、複数のセクタについて前記端末によって測定されかつ前記ワイアレス通信装置の瞬間チャネル品質報告インターバルと比べてより低い周波数で報告される平均チャネル品質情報を含み、
ここにおいて、前記ワイアレス通信装置は、前記少なくとも１つの端末の非サービング基地局である、
を含むワイアレス通信装置。
【請求項７】
前記プロフィール情報は、VCQIレポートを含む、請求項６に記載のワイアレス通信装置。
【請求項８】
前記VCQIレポートは、SISOレポート、MIMOレポートまたはSIMOレポートである、請求項７に記載のワイアレス通信装置。
【請求項９】
前記プロセッサは、前記プロフィール情報に基づいて前記装置の電力プロフィールを決定するための命令をさらに実行する、請求項６に記載のワイアレス通信装置。
【請求項１０】
前記プロセッサは、前記決定された電力プロフィールに基づいて送信電力を調節するための命令をさらに実行する、請求項９に記載のワイアレス通信装置。
【請求項１１】
資源計画を円滑にするワイアレス通信装置であって、
バックホールインターフェースを介してワイアレス通信システム内の少なくとも１つの端末からVCQIレポートを受信するための手段、および
前記VCQIレポートに基づいて、割り当てるべきターゲット再使用セットを決定するための手段、
ここにおいて、前記VCQIレポートは、複数のセクタについて前記端末によって測定されかつ前記ワイアレス通信装置の瞬間チャネル品質報告インターバルと比べてより低い周波数で報告される平均チャネル品質情報を含み、
ここにおいて、前記ワイアレス通信装置は、前記少なくとも１つの端末の非サービング基地局である、
を含むワイアレス通信装置。
【請求項１２】
前記VCQIレポートは、SISOレポート、MIMOレポートまたはSIMOレポートである、請求項１１に記載のワイアレス通信装置。
【請求項１３】
前記VCQIレポートは、チャネル品質プロフィールを示す、請求項１１に記載のワイアレス通信装置。
【請求項１４】
前記VCQIレポートに基づいて前記非サービング基地局の電力プロフィールを決定するための手段をさらに含む、請求項１１に記載のワイアレス通信装置。
【請求項１５】
前記決定された電力プロフィールに基づいて前記非サービング基地局の送信電力を調節するための手段をさらに含む、請求項１４に記載のワイアレス通信装置。
【請求項１６】
機械可読媒体であって、少なくとも１つの端末の非サービング基地局によって実行されたとき、前記非サービング基地局に：
少なくとも１つの端末からプロフィール情報を受信すること、ここにおいて、前記プロフィール情報は、VCQIレポートに含まれる、および
前記プロフィール情報に基づいてターゲット再使用セットを割り当てること、
ここにおいて、前記プロフィール情報は、複数のセクタについて前記端末によって測定されかつ前記端末の瞬間チャネル品質報告インターバルと比べてより低い周波数で報告される平均チャネル品質情報を含み、バックホールインターフェースを介して前記少なくとも１つの端末の前記非サービング基地局によって受信される、
を実行させる機械実行可能な命令を記録した機械可読媒体。
【請求項１７】
前記VCQIレポートは、SISOレポート、MIMOレポートまたはSIMOレポートである、請求項１６に記載の機械可読媒体。
【請求項１８】
前記機械実行可能な命令は、さらに
前記プロフィール情報に基づいて前記非サービング基地局の電力プロフィールを決定すること、および
前記決定された電力プロフィールに基づいて前記非サービング基地局の送信電力を調節すること
のためのものである、請求項１６に記載の機械可読媒体。
【請求項１９】
ワイアレス通信環境中の電力プロフィール情報を送信するように構成された端末を動作する方法であって、
前記端末の瞬間チャネル品質報告インターバルと比べてより低い周波数で報告される、複数のセクタについてのチャネル品質を測定すること、
前記複数のセクタの各々についての前記測定されたチャネル品質情報の平均を含むVCQIレポートを作成すること、および
バックホールインターフェースを介して前記端末の少なくとも１つの非サービング基地局に送信するために、前記VCQIレポートを前記端末からサービング基地局に送信することを含む方法。
【請求項２０】
前記VCQIレポートは、各々の信号が少なくとも１つのタイルの少なくとも１つの部分に対応する複数の信号を含む、請求項１９に記載の方法であって、
前記タイル中の少なくとも１つのヌル・パイロットの位置を決定すること、および
前記少なくとも１つのヌル・パイロットに基づいて干渉情報を決定することをさらに含む方法。
【請求項２１】
請求項２０に記載の方法であって、
前記信号が受信されるインターレースを決定すること、および
前記インターレースに基づいて、前記位置を確認すべきかどうかを決定することをさらに含む方法。
【請求項２２】
ワイアレス通信装置の瞬間チャネル品質報告インターバルと比べてより低い周波数で報告される、複数のセクタについてのチャネル品質情報を測定し、前記複数のセクタの各々についての前記チャネル品質情報の平均を含むVCQIレポートを作成し、およびバックホールインターフェースを介して前記ワイアレス通信装置の少なくとも１つの非サービング基地局に送信するために、前記レポートを前記ワイアレス通信装置のサービング基地局に通信するための命令を実行するプロセッサ、および
前記プロセッサによって生成される情報を記憶するメモリ
を含むワイアレス通信装置。
【請求項２３】
前記プロセッサは、各々の信号が少なくとも１つのタイルの少なくとも１つの部分に対応する複数の信号を受信し、前記タイル中の少なくとも１つのヌル・パイロットの位置を確認し、および前記少なくとも１つのヌル・パイロットに基づいて干渉情報を評価するための命令をさらに実行する、請求項２２に記載のワイアレス通信装置。
【請求項２４】
前記プロセッサは、前記信号が受信されるインターレースを評価し、および前記インターレースに基づいて前記位置を確認すべきかどうかを決定するための命令をさらに実行する、請求項２３に記載のワイアレス通信装置。
【請求項２５】
ワイアレス通信装置の瞬間チャネル品質報告インターバルと比べてより低い周波数で報告される、複数のセクタについてのチャネル品質情報を評価するための手段、
前記複数のセクタの各々についての前記評価されたチャネル品質情報の平均を含むVCQIレポートを作成するための手段、および
バックホールインターフェースを介して前記ワイアレス通信装置の少なくとも１つの非サービング基地局に送信するために、前記VCQIレポートを前記ワイアレス通信装置のサービング基地局に伝えるための手段
を含むワイアレス通信装置。
【請求項２６】
前記VCQIレポートは、各々の信号が少なくとも１つのタイルの少なくとも１つの部分に対応する複数の信号を含む、請求項２５に記載のワイアレス通信装置であって、
前記タイル中の少なくとも１つのヌル・パイロットの位置を評価する手段、および
前記少なくとも１つのヌル・パイロットに基づいて干渉情報を確認するための手段をさらに含むワイアレス通信装置。
【請求項２７】
前記信号が受信されるインターレースを決定する手段、および
前記インターレースに基づいて前記位置を確認すべきかどうか決めるための手段をさらに含む、請求項２６に記載のワイアレス通信装置。
【請求項２８】
機械可読媒体であって、端末によって実行されたとき、前記端末に:
前記端末の瞬間チャネル品質報告インターバルと比べてより低い周波数で報告される、複数のセクタについてのチャネル品質情報を評価すること、
測定されたチャネル品質情報の平均を含むVCQIレポートを作成すること、および
バックホールインターフェースを介して前記端末の非サービング基地局に送信するために、前記VCQIレポートを前記端末から前記端末のサービング基地局に伝えること、
を実行させる機械実行可能な命令を記録した機械可読媒体。
【請求項２９】
前記平均チャネル品質情報は、複数の異なる再使用セットの各々についてのチャネル品質を特徴づけ、
前記決定することは、前記非サービング基地局のハンドオフ時に、前記端末のための前記ターゲット再使用セットを選択する、請求項１に記載の方法。
【請求項３０】
前記瞬間チャネル品質報告インターバルは、ＣＱＩ報告インターバルである、請求項１に記載の方法。
【外国語明細書】
2014197858000001.pdf